(57)【要約】【課題】シナリオテーブル（抽選データ）を用いたさらに好適な遊技性を付加することで、興趣向上を図ることが可能な遊技機を提供する。【解決手段】上限の単位期間を実行しても継続抽選の結果が継続しない結果とならなかった場合に、特別データを用いる特別状態へ移行し、特別データは、複数の抽選データとは異なるデータであり、上限の単位期間に到達していない途中の単位期間において、特別条件が成立すると、継続可能とする上限の単位期間まで実行せずに抽選データを用いた遊技を終了して特別状態へ移行し、当該特別状態の継続処理を特別データを用いて行うように形成され、特別条件が成立して特別状態へ移行したときは、終了した抽選データのうち未消化の単位期間に応じた継続率を用いて遊技者に有利な権利に関する特殊処理を行うことを特徴とする。【選択図】図１８
2020081538.tif 000002
【特許請求の範囲】
【請求項１】
通常遊技状態と、
当該通常遊技状態中に所定条件の成立を契機として移行可能であり、複数の単位期間に亘って当該通常遊技状態より遊技者に有利な有利遊技状態とを備えた遊技機において、
前記単位期間の経過後も前記有利遊技状態の制御を継続するか否かを決定するためのデータであって前記単位期間毎に継続抽選として用いる継続率が上限の単位期間まで規定された抽選データを複数備え、
所定契機に基づき前記有利遊技状態を行うときに、１の前記抽選データを用いて前記有利遊技状態の前記継続抽選を実行可能であり、
使用する抽選データを決定する抽選データ決定手段と、
前記抽選データ決定手段が決定した抽選データに基づき前記継続抽選を行う継続抽選手段とを備え、
前記上限の単位期間を実行しても前記継続抽選の結果が継続しない結果とならなかった場合に、特別データを用いる特別状態へ移行し、
前記特別データは、複数の前記抽選データとは異なるデータであり、
前記上限の単位期間に到達していない途中の単位期間において、特別条件が成立すると、継続可能とする前記上限の単位期間まで実行せずに前記抽選データを用いた遊技を終了して前記特別状態へ移行し、当該特別状態の継続処理を前記特別データを用いて行うように形成され、
前記特別条件が成立して前記特別状態へ移行したときは、終了した前記抽選データのうち未消化の単位期間に応じた継続率を用いて遊技者に有利な権利に関する特殊処理を行うことを特徴とする遊技機。
【請求項２】
前記終了した抽選データのうち前記未消化の単位期間に応じた継続率毎に特殊抽選を行い、当該特殊抽選で当選したときに遊技者に権利を付与することを特徴とする請求項１に記載の遊技機。
【請求項３】
前記終了した抽選データのうち前記未消化の単位期間に応じた継続抽選の継続率を加算して求められる加算データに基づき特殊抽選を行い、当該特殊抽選で当選した場合に遊技者に特典を付与することを特徴とする請求項１に記載の遊技機。
【請求項４】
前記終了した抽選データのうち前記未消化の単位期間に応じた継続抽選の継続率を用いて演算して求められる数値を、前記有利遊技状態において実行可能な遊技回数に設定することを特徴とする請求項１に記載の遊技機。
【請求項５】
前記終了した抽選データのうち前記未消化の単位期間に応じた継続抽選の継続率を加算して求められる加算データに所定係数を乗算した数値を、前記有利遊技状態において実行可能な遊技回数に設定することを特徴とする請求項４に記載の遊技機。
【請求項６】
前記継続可能とする前記上限の単位期間に到達していない途中の単位期間において、当該単位期間の継続期待度を示唆する継続示唆演出と、
前記特別条件が成立して前記特別データを用いた前記特別状態へ移行する可能性を示唆する可能性示唆演出とを備えたことを特徴とする請求項１、２、３、４又は５に記載の遊技機。
【発明の詳細な説明】
【技術分野】
【０００１】
本発明は、遊技機に関し、さらに詳しくは、セット毎の継続率が上限セットまで規定されたシナリオテーブルを備えた遊技機に関する。
【背景技術】
【０００２】
スロットマシン等の遊技機では、複数の役の当選か否かを予め定めた抽選確率による抽選で決定する役抽選を行い、役抽選の結果、所定の役に当選し、当該当選した役に係る図柄の組み合わせを所定の有効ライン上に停止させることができた場合、入賞し、遊技者に対して所定の利益を付与可能に形成されている。
また、セット毎の継続率が上限セットまで規定されたシナリオテーブル（抽選テーブル、抽選データ）を複数備え、所定契機に基づき有利状態を行うときに、１のシナリオテーブルを用いて有利状態の継続抽選を行うものがある（特許文献１）。
【先行技術文献】
【特許文献】
【０００３】
【特許文献１】特開２０１４−６１１３０号公報
【発明の概要】
【発明が解決しようとする課題】
【０００４】
特許文献１に記載の遊技機は、様々なシナリオテーブルによる継続抽選を行うことで遊技者の興趣向上を図ることができる。また、全ての継続抽選に当選して、全てのセットを実施して、シナリオクリア後により、遊技者に更なる有利な恩恵を付与することで、一層の興趣向上を図ることも考えられる。
しかしながら、全ての継続抽選に当選等して、シナリオクリアしないと恩恵を得ることができないために、複数のセットの継続抽選の当選確率によっては、シナリオクリアすることは容易ではない場合があり、そのような場合には、遊技者はシナリオテーブルによる継続抽選を不満に感じる虞があるという問題点があった。
【０００５】
上記の問題点に鑑み、本願発明は、シナリオテーブル（抽選データ）を用いたさらに好適な遊技性を付加することで、興趣向上を図ることが可能な遊技機を提供することを目的とする。
【課題を解決するための手段】
【０００６】
本発明は、次の点を特徴とする。すなわち、通常遊技状態と、
当該通常遊技状態中に所定条件の成立を契機として移行可能であり、複数の単位期間に亘って当該通常遊技状態より遊技者に有利な有利遊技状態とを備えた遊技機において、
前記単位期間の経過後も前記有利遊技状態の制御を継続するか否かを決定するためのデータであって前記単位期間毎に継続抽選として用いる継続率が上限の単位期間まで規定された抽選データを複数備え、
所定契機に基づき前記有利遊技状態を行うときに、１の前記抽選データを用いて前記有利遊技状態の前記継続抽選を実行可能であり、
使用する抽選データを決定する抽選データ決定手段と、
前記抽選データ決定手段が決定した抽選データに基づき前記継続抽選を行う継続抽選手段とを備え、
前記上限の単位期間を実行しても前記継続抽選の結果が継続しない結果とならなかった場合に、特別データを用いる特別状態へ移行し、
前記特別データは、複数の前記抽選データとは異なるデータであり、
前記上限の単位期間に到達していない途中の単位期間において、特別条件が成立すると、継続可能とする前記上限の単位期間まで実行せずに前記抽選データを用いた遊技を終了して前記特別状態へ移行し、当該特別状態の継続処理を前記特別データを用いて行うように形成され、
前記特別条件が成立して前記特別状態へ移行したときは、終了した前記抽選データのうち未消化の単位期間に応じた継続率を用いて遊技者に有利な権利に関する特殊処理を行うことを特徴とする。
【０００７】
本発明によれば、上限の単位期間に到達する途中であっても、特別条件が成立すると、本来、上限の単位期間を実行した後にしか得ることのできない特別状態を楽しむことができるため、遊技者に意外性を与えるとともに、特別状態の継続処理を特別データを用いて行う遊技性を楽しむ機会を提供できるので、一層の興趣向上を図ることができる。さらに、未消化となったセットに対する継続抽選で用いる継続率のデータに基づき遊技者に有利な権利に関する特殊処理を行うので、未消化となったセットに対する遊技者の不満を軽減でき、興趣低下を防止することができる。
【０００８】
また、本発明は、さらに、前記終了した抽選データのうち前記未消化の単位期間に応じた継続率毎に特殊抽選を行い、当該特殊抽選で当選したときに遊技者に権利を付与することを特徴とする。
【０００９】
本発明によれば、終了した抽選データのうち未消化の単位期間に応じた継続率毎に特殊抽選を行い、当該特殊抽選で当選したときに遊技者に権利を付与している。すなわち、未消化となったセットに対する継続率のデータを用いて特殊抽選を行うことにより、未消化となったセットに対する遊技者の不満を軽減でき、興趣低下を防止することができる。
【００１０】
また、本発明は、さらに、前記終了した抽選データのうち前記未消化の単位期間に応じた継続抽選の継続率を加算して求められる加算データに基づき特殊抽選を行い、当該特殊抽選で当選した場合に遊技者に特典を付与することを特徴とする。
【００１１】
本発明によれば、未消化の単位期間に応じた継続抽選の継続率をそのまま抽選の当選確率として用いるのではなく、当該継続率を加算して求められる加算データに基づき特殊抽選を行い、この特殊抽選で当選した場合に遊技者に特典を付与する。
例えば、未消化のセットが複数ある場合に、全てのセットを用いた（加算した）一括抽選を行うことにより、抽選テーブル（シナリオテーブル）の途中の継続抽選とは異なる抽選方式により遊技者に更なる面白味を与えることができる。また、継続率を加算することで当選する確率が増加し、加算せずに抽選処理する場合よりも遊技者側に有利なものにすることができる。また、残りのセット数によらず共通処理で判定できるため、過度の処理負荷の増加を防止することができる。
【００１２】
また、本発明は、さらに、前記終了した抽選データのうち前記未消化の単位期間に応じた継続抽選の継続率を用いて演算して求められる数値を、前記有利遊技状態において実行可能な遊技回数に設定することを特徴とする。
【００１３】
本発明によれば、継続抽選の継続率を用いて演算して求められる数値を有利遊技状態において実行可能な遊技回数に設定している。
継続抽選の継続率が遊技回数という別次元の単位に変換されることで、例えば当選確率が１％増加すると、遊技回数が確実に１回増えるようなことが発生し、興趣に富むものにすることができる。  
当選確率の場合は、仮に当選確率が高くても抽選で当選しなければ遊技者に何の利益をもたらすことはなく、何の意味もないが、遊技回数に変換されることで、当選確率が高ければ、遊技回数を増やすことができ、抽選処理を経ることなく、確実に遊技者に利益をもたらすことができる。
【００１４】
また、本発明は、さらに、前記終了した抽選データのうち前記未消化の単位期間に応じた継続抽選の継続率を加算して求められる加算データに所定係数（具体的には例えば％表示にするための数値１００）を乗算した数値を、前記有利遊技状態において実行可能な遊技回数に設定することを特徴とする。
【００１５】
本発明によれば、未消化の単位期間に応じた継続抽選の継続率を加算して求められる加算データに所定係数（具体的には例えば％表示にするための数値１００）を乗算した数値を、有利遊技状態において実行可能な遊技回数に設定していることで、未消化の単位期間に応じた継続抽選の継続率と、有利遊技状態において実行可能な遊技回数とを比例関係にすることができる。
すなわち、継続率を加算して求められる加算データが２倍になれば、有利遊技状態において実行可能な遊技回数も２倍にすることができ、未消化の単位期間ごとに設定されている継続率を有効に利用することができ、未消化のセットに対する遊技者の不満を軽減することができ、興趣低下を防止することができる。
【００１６】
また、本発明は、さらに、前記継続可能とする前記上限の単位期間に到達していない途中の単位期間において、当該単位期間の継続期待度（継続率の表示）を示唆する継続示唆演出と、
前記特別条件が成立して前記特別データを用いた前記特別状態へ移行する可能性を示唆する可能性示唆演出とを備えたことを特徴とする。
【００１７】
上限の単位期間を実行して継続抽選の結果が継続する結果（いわゆるシナリオクリア）となる期待とともに、特別データを用いる特別状態への移行の期待間も煽れるのでより一層の興趣向上を図ることができる。
【図面の簡単な説明】
【００１８】
【図１】本発明の実施の形態であって、遊技機を示す外観正面図である。
【図２】本発明の実施の形態であって、各リールに設けてある図柄の配置を示す図である。
【図３】本発明の実施の形態であって、遊技機の入力、制御及び出力を示すブロック図である。
【図４】本発明の実施の形態であって、メイン制御手段のブロック図である。
【図５】本発明の実施の形態であって、サブ制御手段のブロック図である。
【図６】本発明の実施の形態であって、メイン制御手段の遊技状態の説明図である。
【図７】本発明の実施の形態であって、演出状態の説明図である。
【図８】本発明の実施の形態であって、ボーナス遊技の移行図柄の図柄組み合わせ等の説明図である。
【図９】本発明の実施の形態であって、再遊技役の図柄組み合わせ及び賭け数の説明図である。
【図１０】本発明の実施の形態であって、小役の図柄組み合わせ及び配当（払出枚数）の説明図である。
【図１１】本発明の実施の形態であって、小役の図柄組み合わせ及び配当（払出枚数）の説明図である。
【図１２】本発明の実施の形態であって、小役の図柄組み合わせ及び配当（払出枚数）の説明図である。
【図１３】本発明の実施の形態であって、（ａ）は当選役グループ及び重複当選役の関係を示す説明図、（ｂ）は遊技状態毎の抽選対象となる当選役グループの説明図である。
【図１４】本発明の実施の形態であって、各遊技状態の出玉率及び停止操作順序指示の有無を示す説明図である。
【図１５】本発明の実施の形態であって、（ａ）〜（ｆ）は、ＡＴベル役の当選役グループと、重複当選役とを示す説明図である。
【図１６】本発明の実施の形態であって、（ｇ）〜（ｌ）は、ＡＴベル役の当選役グループと、重複当選役とを示す説明図である。
【図１７】本発明の実施の形態であって、ＲＢＢ５内部中、ＲＢＢ６内部中における当選役グループ、停止操作順序を示す説明図である。
【図１８】本発明の実施の形態であって、（Ａ）は複数（Ａ〜Ｆ）の抽選データ、（Ｂ）は特別データ、（Ｃ）は、Ａ〜Ｆの抽選テーブルの振り分け率（％）を示す説明図である。
【図１９】本発明の実施の形態であって、メイン制御手段がＡＴ状態において、１回の遊技毎に実行する一般的な制御理を示すフローチャートである。
【図２０】本発明の実施の形態であって、ＡＴ状態において、各セット開始遊技における処理を示すフローチャートである。
【発明を実施するための形態】
【００１９】
（第１の実施の形態）
（遊技機10）
本明細書では、各説明箇所において、方向についての定義等が示されていない場合には、遊技機10の方を向いて位置している遊技者から見て、遊技機10から遊技者の手前側に向かう方向を「前」方向とし、その逆方向を「後」方向とする。また、同様に、「左」や「右」等の左右方向及び「上」や「下」等の上下方向も、遊技者から見た場合の左方向や右方向、又は上方向や下方向を意味する。同様に、各部材の説明においても、方向についての定義等が示されていない場合には、各部材を、遊技機10の所定位置に固定した場合における遊技者から見た方向を意味する。
本実施形態に係る遊技機10としてのスロットマシンを、以下、図面を参照しながら説明する。
【００２０】
（筐体12、前扉14）
図１に示すように、本実施形態に係る遊技機10は、前方向に向かって開口する正面開口を有する四角箱状の筐体12と、この筐体12の正面開口を開閉自在に覆う前扉14とを備えている。
【００２１】
（リール62）
前扉14の上部には、薄板樹脂からなる上パネル20を備えている。この上パネル20の略中央には、３個のリール62（正面から向かって左側の左リール64、中央の中リール66、右側の右リール68）の円周上の図柄61を見ることができる透過可能な図柄表示窓部16が形成されている。この図柄表示窓部16は、３個全てのリール62の回転が停止した際には、縦３列横３行に配置した合計９個の図柄61を遊技者に見せるように形成されている。この図柄表示窓部16は、リール62の正面側に設けられて、リール62の回転が停止した際、後述する有効ライン86上に停止している複数の図柄61を視認するためのものである。リール62は、複数の図柄61を図柄表示窓部16を介して変動表示可能なものである。
【００２２】
（クレジット表示器87、払出枚数表示器88）
前記図柄表示窓部16の下方には、クレジットメダルの貯留枚数（以下、「クレジットメダル数」とする）を表示するクレジット表示器87と、このクレジット表示器87の左側に配置され、遊技機10から払い出されたメダルの総数を表示する払出枚数表示器88とが設けられている。これらの表示器は、例えば２個の７セグメントＬＥＤで構成され、それぞれの７セグメントＬＥＤは、１桁の数字を表示する７つのセグメントからなる数値部と、１つのドット（点）を表示するドット部とを備えている。このような構成により、クレジット表示器87では、クレジットメダル数に対応する２桁の数字が表示可能となっており、払出枚数表示器88では、払出枚数に対応する２桁の数字が表示可能となっている。
なお、この払出枚数表示器88の７セグメントＬＥＤを用いて、停止操作順番等の操作対応を報知可能に形成されている。
【００２３】
ここで、本実施形態に係る遊技機10は、後述するメダル投入口38に投入したメダルを最大５０枚までクレジットメダルとして内部に貯留可能なクレジット機能（投入枚数を電子データとして電子的に記憶し管理する機能）を有している。そして、このクレジットメダルとして貯留可能な最大枚数である５０枚を「最大クレジットメダル数」とする。
【００２４】
（区間報知ランプ79）
前扉14のうち、クレジット表示器87と払出枚数表示器88との間には、現在の状態が「有利区間」であることを発光態様により報知する区間報知ランプ79が設けられている。
ここで、「有利区間」とは、遊技者にとって有利なストップスイッチ50の押し順の表示が行われない通常区間から移行可能であり、この通常区間よりも遊技者にとって有利な区間である。
【００２５】
この区間報知ランプ79は、有利区間中において、有利区間に移行してから、所定の出玉率を超え、かつ、ストップスイッチ50の押し順が表示されるまでの任意の契機で、後述するメイン制御手段200により点灯される。そして、区間報知ランプ79は、有利区間中にメイン制御手段200により点灯された場合には、当該有利区間中は常時点灯される。なお、区間報知ランプ79は、「有利区間」から「通常区間」に移行したことを契機にメイン制御手段200により消灯される。
【００２６】
本実施の形態では、有利区間中において、後述するＡＴ状態に移行したことに基づいて、メイン制御手段200により区間報知ランプ79が点灯されることとなっている。
ここで、区間報知ランプ79のみで現在の状態が「有利区間」であることを発光態様により報知することに限らず、例えば、クレジット表示器87又は払出枚数表示器88を構成する特定の７セグメントＬＥＤのドット部と区間報知ランプ79との双方を用いて、現在の状態が「有利区間」であることを発光態様により報知してもよい。
【００２７】
また、区間報知ランプ79を設けずに、例えば、クレジット表示器87又は払出枚数表示器88を構成する特定の７セグメントＬＥＤのドット部を用いて、現在の状態が「有利区間」であることを発光態様により報知してもよい。
【００２８】
（操作部30）
前記前扉14の下部には下パネル22が設けられている。そして、前扉14には下パネル22の上に位置して前扉14の前方向へ向けて突出する操作部30を備えている。この操作部30は、メダル投入口38と、精算スイッチ36と、ストップスイッチ50と、スタートスイッチ40と、ベットスイッチ32と、チャンスボタン42と、を備えている。
【００２９】
（メダル投入口38）
操作部30の右側部分には、遊技機10の内部へ遊技媒体としてのメダルを投入するためのメダル投入口38が設けられている。
【００３０】
（精算スイッチ36）
メダル投入口38の下方には、クレジット機能によりクレジットしたメダルの全てを払い出すための精算スイッチ36が設けられている。
【００３１】
（ストップスイッチ50）
前記操作部30の中央には、操作により対応するリール62の回転を停止させるため、３個のリール62のそれぞれに対応する３個のストップスイッチ50が設けられている。このストップスイッチ50は、左リール64を停止させるための左ストップスイッチＬと、中リール66を停止させるための中ストップスイッチＣと、右リール68を停止させるための右ストップスイッチＲとを有している。すなわち、これらのストップスイッチ50は、複数のリール62それぞれに対応して設けられ、複数のリール62の図柄61の変動表示の開始後、遊技者の操作によりリール62の図柄61の変動表示を個別に停止させるためのものである。
【００３２】
（スタートスイッチ40）
このストップスイッチ50の左側には、メダルの投入又は後述するベットスイッチ32の操作を条件にリール62の回転を開始させるためのスタートスイッチ40が設けられている。すなわち、このスタートスイッチ40は、遊技者の操作によりリール62の図柄61の変動表示を開始させるためのものである。
【００３３】
（ベットスイッチ32）
このスタートスイッチ40の上方には、ベットスイッチ32として、クレジットしたメダル数から最大投入枚数（具体的には３枚）に達するまで投入可能なメダル数を減じて３枚のメダル投入に代えるマックスベットスイッチ34と、クレジットしたメダル数から１枚のメダル数を減じて１枚のメダル投入に代える１ベットスイッチ35とが設けられている。
【００３４】
（チャンスボタン42）
マックスベットスイッチ34の右側には、特定の演出において遊技者が操作可能なチャンスボタン42が設けられている。
【００３５】
（メダル払出口28等）
前記前扉14の下部には、所定の場合に後述するホッパーユニット24からメダルが払い出されるメダル払出口28が形成されている。このメダル払出口28の下方には、メダル払出口28から払い出されたメダルを貯留するため、上方に向かって開口する皿状のメダル受け皿26が形成されている。なお、クレジットされているメダル数が最大クレジットメダル数である５０枚未満の場合は、５０枚に到達するまで、獲得したメダルはメダル払出口28から払い出されずにクレジットメダルの枚数に加算される。
【００３６】
（演出装置70）
前記前扉14には、遊技者に役抽選の当選等の種々の情報を音や光や映像等で報知させるための演出装置70が形成されている。この演出装置70は、スピーカー72と、演出用ランプ78と、表示装置84と、バックランプ67（図３参照）と、を備えている。
【００３７】
（スピーカー72）
前記スピーカー72は、前扉14の上部左右に配置された上部スピーカー74と、前扉14の下部左右に配置された下部スピーカー76とを備えている。
【００３８】
（演出用ランプ78）
前記演出用ランプ78は、前扉14の上部に配置された上部ランプ80と、前扉14の下部の左右に配置された下部ランプ82とを備えている。
【００３９】
（表示装置84）
前記表示装置84は、その画面に種々の映像を表示するための液晶表示装置である。
【００４０】
（バックランプ67）
前記バックランプ67は、リールユニット60に設けられており、リール62上の図柄61を照らすためのものである。
また、図３に示すように、前記前扉14の裏側には、扉開閉用スイッチ19、設定変更スイッチ46、設定表示器89などが配置されている。
【００４１】
（扉開閉用スイッチ19）
扉開閉用スイッチ19は前扉14が閉じているか否かを検知するためのものである。この扉開閉用スイッチ19は、前扉14が閉塞している場合に、前扉14の背面と扉開閉用スイッチ19の前面とが押圧されることでオンとなり、前扉14が開放するに従って、前扉14の背面が扉開閉用スイッチ19の前面から離間して押圧が解除されることでオフとなる。
【００４２】
（設定変更スイッチ46）
設定変更スイッチ46は、後述する電源ユニット43の設定キースイッチ45と共に設定変更を行うためのものである。
【００４３】
（設定表示器89）
設定表示器89は、例えば７セグメントの小型のＬＥＤにより、複数段階設けられた設定値を表示するものである。設定表示器89には、当該遊技機10の設定値が表示されるが、外部から視認できないようにすべく、設定後一定時間が経過するとその表示は解除される。
【００４４】
（リールユニット60）
図柄表示窓部16の後方向（奥方向）には、３個のステッピングモータ65と、この各ステッピングモータ65によってそれぞれ回転させられる合計３個の前記リール62と、前記ステッピングモータ65及び前記リール62を保持するユニットホルダ（図示せず）とを有するリールユニット60が配置されている。ステッピングモータ65は、後述するメイン制御手段200から出力されるステッピングモータ65を駆動するための駆動信号に基づき駆動する。また、リールユニット60には、リール62の回転位置が基準となる位置（基準位置）であることを検出するためリール位置センサ63が設けられている。
【００４５】
また、前記前扉14の下部に相当する筐体12の内部には、メダルを貯留することができるとともに、メダルを払い出すことができるホッパーユニット24と、電源投入又は電源遮断のための操作が可能な電源スイッチ44を有すると共に各部品に電力を供給するための電源ユニット43とが配置されている。
【００４６】
（ホッパーユニット24）
ホッパーユニット24には、その駆動によりメダルをメダル払出口28に向けて払い出すホッパーモータ95と、ホッパーユニット24の出口に設けられ、メダル払出口28に払い出されたメダルを１枚ずつ検出する払出センサ94と、ホッパーユニット24のメダルタンクから溢れたメダルを収納するための補助タンクの近傍に設けられ、補助タンク内のメダルが満杯になったことを検出して後述するメイン制御手段200へ信号を出力するオーバーフローセンサ96とが設けられている。
【００４７】
（電源ユニット43）
電源ユニット43には、電源投入又は電源遮断のための操作が可能な電源スイッチ44と、設定変更処理のための設定キースイッチ45とが設けられている。
【００４８】
（メダルセレクタ17）
前扉14の裏側であって、前記メダル投入口38の近傍には、メダル投入口38に投入されたメダルが正規のものか否かを選別して、正規のメダルのみをホッパーユニット24に導くメダルセレクタ17が設けられている。このメダルセレクタ17には、メダル投入口38に投入されたメダルを１枚ずつ検知する投入センサ92が設けられている。
【００４９】
なお、前扉14の裏側には図示しないメダル通路が設けられており、メダルセレクタ17において非正規のメダルとして排除されたメダルや、ホッパーユニット24から払い出されたメダルが、このメダル通路を通過してメダル払出口28から払い出される。
図２に示すように、左リール64、中リール66及び右リール68の表面には、「赤セブン（Ｒ７）」、「青セブン（Ｂ７）」、「バー（ＢＡ）」、「ブランク（ＢＬ）」、「リプレイ（ＲＰ）」、「ベル（ＢＥ）」、「チェリー（ＣＨ）」、「スイカ（ＷＭ）」に対応する絵柄や記号等を組み合わせた複数の種々の図柄61が形成されている。
本実施の形態では、上述した図柄の組み合わせにより複数の役（ＲＢＢ、ＲＢ、再遊技（リプレイ役）、小役（入賞役）等）が予め設定されている。
【００５０】
これらの図柄61は、それぞれの絵柄がプリントされたテープをリール62の外周表面に貼付することで形成されている。なお、図２の図柄61の図柄番号（コマ番号）は、リール62の外周表面に物理的に付されているものではなく、仮想的な番号であって、各図柄61の停止を制御するためのプログラムで特定の図柄61を指定するためのものである。
【００５１】
（制御装置100）
図３に示すように、遊技機10の内部には、遊技機10の全体の動作を制御するための制御装置100が形成されている。この制御装置100は、遊技を進行させて遊技を制御する制御手段としてのメイン制御手段200と、このメイン制御手段200からの情報（コマンド）を受けて、遊技の進行に応じた演出を制御し、主に遊技内容に関する情報を遊技者に報知する演出を行うサブ制御手段400とを備えている。
【００５２】
ここで、メイン制御手段200の制御に基づくスロットマシンの作動状態のうち、後述する「ノーマル状態」、「ボーナス内部中状態」及び「ボーナス状態」を総称して遊技状態とし、後述する「第１通常状態」、「第２通常状態」及び「ＡＴ状態」を総称して演出状態とする。
なお、メイン制御手段200とサブ制御手段400との間は、メイン制御手段200への不正操作を防止するために、メイン制御手段200からサブ制御手段400への一方向の通信により行われ、サブ制御手段400からメイン制御手段200への逆方向の通信は行われていない（すなわち双方向の通信ではない）。メイン制御手段200は、メダルセレクタ17、スタートスイッチ40、ベットスイッチ32、ストップスイッチ50、設定変更スイッチ46、精算スイッチ36、扉開閉用スイッチ19、電源ユニット43、リールユニット60及びホッパーユニット24の入力を受け付け、クレジット表示器87、払出枚数表示器88、リールユニット60、ホッパーユニット24、設定表示器89及び区間報知ランプ79の作動を制御する。サブ制御手段400は、メイン制御手段200及びチャンスボタン42からの信号を入力し、演出用ランプ78等の演出装置70の作動を制御する。サブ制御手段400には、演出装置70としての演出用ランプ78、スピーカー72、表示装置84及びバックランプ67の各パーツが接続されている。
【００５３】
なお、特に図示していないが、メイン制御手段200を有するメイン基板と、サブ制御手段400を有するサブ基板とは、それぞれ専用の基板ケースの内部に収納されている。具体的には、メイン制御手段200は、メイン基板ケースの内部に収納され、サブ制御手段400は、サブ基板ケースの内部に収納されている。そして、メイン基板ケースは、筐体12内部の奥側の上部に固定され、サブ基板ケースは、筐体12内部の正面から向かって左側に固定されている。
【００５４】
メイン制御手段200及びサブ制御手段400は、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば遊技機10の状態を記憶するための記憶領域や、役抽選の抽選結果を記憶するための記憶領域として使用される。
【００５５】
（外部集中端子板18）
また、筐体12内部の正面から向かって右側には、外部集中端子板18が設けられている。
外部集中端子板18は、遊技データを遊技機10外部に出力させるものであり、メイン制御手段200と配線される接続端子（コネクタ）や、外部機器（図示省略）と配線される接続端子（コネクタ）が設けられた端子板である。また、外部集中端子板18は、図示しないが、遊技島設備（例えばデータ表示器）やホールコンピュータに接続されている。
【００５６】
（メイン制御手段200）
メイン制御手段200は、図４に示すように、役抽選手段210、リール制御手段220、停止図柄判定手段230、払出制御手段240、遊技状態制御手段250、演出状態制御手段260、ＡＴ移行ゲーム数抽選手段270、計数手段280、及び遊技履歴監視手段290、送信手段390の各手段を有する。各手段の詳細については後述する。
【００５７】
以上の構成をもって、メイン制御手段200は、役の抽選を行い、リール62の回転及び停止を制御し、リール62がすべて停止したときに停止図柄61の判定を行い、遊技の進行を行う手段として機能することとなる。
以下、本実施形態において、メイン制御手段200により制御される遊技の流れについて説明する。
【００５８】
本実施形態に係る遊技機10は、マックスベットスイッチ34や１ベットスイッチ35等の操作又はメダル投入により規定の賭け数を設定することで遊技が開始可能となる。規定の賭け数（２枚又は３枚）が設定されると、所定の役の図柄61の組合せが当該ライン上に揃った場合にメダルが付与されるライン（以下、「有効ライン86」とする（図１参照））が設定される。
なお「有効ライン86」は、当選役が当該ライン上に並んだ場合に入賞となるラインを意味し、後述する小役の「入賞」等は有効ライン86上に役に対応した図柄61の組合せが揃うことを意味する。本実施の形態の有効ライン86は、図１に示すように、左リール64の中段と、中リール66の中段と、右リール68の中段とを結んだ１ラインからなる。
なお、本実施形態に係る遊技機10は、規定の賭け数として「２」及び「３」が設定されており、各遊技状態に応じた２枚又は３枚の賭け数を設定することで遊技が開始可能となる。
【００５９】
そして、規定の賭け数（２枚又は３枚）が設定されていることを条件に、スタートスイッチ40を操作すると、賭け数が確定し、役抽選手段210により、複数の役の少なくとも何れか１つに当選か又はハズレかの抽選（役抽選）が行われる。また、役抽選とほぼ同時に、前回の遊技でのリール62の回転開始時から所定の時間（本実施形態では、４．１秒）が経過しているか否かが判定され、所定の時間が経過すると、３個すべてのリール62の回転が開始する。
【００６０】
リール62の回転開始後、所定の条件（本実施形態では、リール62を加速する処理を実行した後、所定のセンサによりリール62の回転位置が基準位置であることを検出すること）が成立すると、ストップスイッチ50の操作が可能な状態（停止操作可能状態）となる。
【００６１】
その後に、３個のストップスイッチ50のうち１個を操作すると、当該ストップスイッチ50に対応するリール62の回転が停止する。そして、３個すべてのストップスイッチ50の操作を終えると、３個すべてのリール62の回転が停止する。
【００６２】
このとき、有効ライン86上に所定の図柄61の組合せが揃うと、当該図柄61の組合せに対応する処理が行われる。本実施形態に係る遊技機10は、有効ライン86上に予め定められた図柄61の組合せが揃うと遊技者にメダルが付与されるように形成されている。例えば小役に対応する図柄61の組合せが有効ライン86上に揃うと、小役に対応する枚数のメダルが遊技者に対して付与される。
【００６３】
また、有効ライン86上に再遊技役（遊技者所有のメダルを使用することなく次回の遊技を開始可能とする役、いわゆるリプレイ役）に対応する図柄61の組合せが揃うと、メダルの払い出しはないものの、次回の遊技において遊技者所有のメダルを使用することなく賭け数が自動的に設定され遊技を行うことができる。以上の流れにより、１回の遊技が終了する。
【００６４】
（役抽選手段210）
役抽選手段210は、当選役を決定する役抽選を実行するものである。具体的には、役抽選手段210は、スタートスイッチ40の操作を契機に、複数の役の少なくとも何れか１つに当選か又はハズレかの役抽選を行うためのものである。役抽選手段210は、役に当選したか否かを決定するための役抽選テーブルを、主な分類としてノーマル状態用、ボーナス内部中状態用、ボーナス状態用のそれぞれに対応して複数備えており、メイン制御手段200のＲＯＭ上に記憶されている。役抽選手段210は、予め定めた抽選データと、所定範囲の整数値を繰り返して計数するループカウンタを有する所定の乱数発生手段（乱数発生回路）が発生した乱数のうちから抽出した乱数とを比較して、当選か否かを判定する。
【００６５】
役抽選手段210の役抽選に用いる当選確率は、図示しない役抽選テーブルにより、予めプログラムされた範囲内で遊技ホールの管理者により変更可能に形成されている。具体的には、その当選確率を規定するための値である複数段階の設定値を変更するための設定変更スイッチ46を操作することにより、複数段階の設定値のうち何れか１つの設定値が選択される。そして、役抽選手段210は、選択された設定値毎に予め定められた当選確率で役抽選を行っている。
【００６６】
また、本実施形態における設定値は、設定値「１」から「６」の６段階に設定されている。なお、設定値は複数段階であれば、設定値「１」から「６」の６段階に限られず、例えば「１・３・６」、「２・４・６」又は「１・６」としてもよい。
【００６７】
本実施形態では、役抽選手段210により抽選される役として、大別すると、小役（メダルの払い出しを伴う役）、リプレイ役、ボーナス移行役（遊技状態の移行を伴う役）が設けられている。なお、小役としては、ベル役や、レア役としてのチェリー役等が設けられている（図８〜図１３等参照）。
具体的には、役として、後述する図９〜１２に示すように、リプレイ役（中段リプレイ役、スイカリプレイ役、Ｒ７リプレイ役、Ｂ７リプレイ役、ＢＡＲリプレイ役等）、ベル役（押し順ベル）、チェリー役、チャンス目等の役が設けられている。
【００６８】
また、ボーナス移行役としては、ボーナス状態のうち、後述する「ＲＢＢ１」への移行に係る「第１ボーナス移行役」と、後述する「ＲＢＢ２」への移行に係る「第２ボーナス移行役」と、後述する「ＲＢＢ３」への移行に係る「第３ボーナス移行役」と、後述する「ＲＢＢ４」への移行に係る「第４ボーナス移行役」と、後述する「ＲＢＢ５」への移行に係る「第５ボーナス移行役」と、後述する「ＲＢＢ６」への移行に係る「第６ボーナス移行役」とが設けられている（図８参照）。そして、第１〜４ボーナス移行役は、ノーマル状態で、３枚の賭け数が設定されている場合にのみ、役抽選にて当選することができ、第５〜６ボーナス移行役は、ノーマル状態で、２枚の賭け数が設定されている場合にのみ、役抽選にて当選することができるよう設定されている。換言すると、第１〜４ボーナス移行役は、ノーマル状態において、３枚の賭け数が設定されている場合にのみ、役抽選における抽選対象となり、第５〜６ボーナス移行役は、ノーマル状態において、２枚の賭け数が設定されている場合にのみ、役抽選における抽選対象となるよう構成されている。
【００６９】
そして、本実施形態では、役抽選の結果は、メイン制御手段200に形成された所定の記憶領域に書き込まれており、その後の処理にて読み出し可能とされている。
【００７０】
（リール制御手段220）
リール制御手段220は、各リール62の回転を停止させるためのものである。リール制御手段220は、役抽選の結果と、各ストップスイッチ50が操作されたときの対応するリール62の回転位置とに基づいて、各リール62の回転を停止させる。なお、リール制御手段220は、必要に応じて各ストップスイッチ50の押し順が所定の条件に適合しているか否かも停止させる条件にする場合がある。
【００７１】
（停止図柄判定手段230）
停止図柄判定手段230は、すべてのリール62が停止した際における有効ライン86上の図柄61の組合せを記憶するとともに入賞等の判定をするためのものである。
【００７２】
（払出制御手段240）
払出制御手段240は、停止図柄判定手段230の判定結果に基づいて、メダル払い出し等の所定の配当の付与を行うものである。払出制御手段240は、停止図柄判定手段230の判定の結果、小役が入賞していると判定されると配当としてのメダルの払い出しを行う。
【００７３】
（遊技状態制御手段250）
遊技状態制御手段250は、遊技状態を制御するものである。
具体的には、遊技状態制御手段250は、図４に示すように、ノーマル状態制御手段251、ボーナス内部中状態制御手段252及びボーナス状態制御手段253の各手段を有する。
【００７４】
（ノーマル状態制御手段251）
ノーマル状態制御手段251は、「ノーマル状態」を制御するものである。ここで、「ノーマル状態」は、ボーナス内部中状態制御手段252によるボーナス内部中状態又はボーナス状態制御手段253によるボーナス状態以外の状態をいう。
【００７５】
（ボーナス内部中状態制御手段252）
ボーナス内部中状態制御手段252は、「ボーナス内部中状態」を制御するものである。
「ボーナス内部中状態」は、ノーマル状態における役抽選にてボーナス移行役に当選し、当該ボーナス移行役に対応する図柄61を有効ライン86上に停止表示できなかった場合に移行する状態である。本実施形態では、ボーナス内部中状態として、ボーナス状態の後述する「ＲＢＢ１」に対応する「ＲＢＢ１内部中」と、ボーナス状態の後述する「ＲＢＢ２」に対応する「ＲＢＢ２内部中」と、ボーナス状態の後述する「ＲＢＢ３」に対応する「ＲＢＢ３内部中」と、ボーナス状態の後述する「ＲＢＢ４」に対応する「ＲＢＢ４内部中」と、ボーナス状態の後述する「ＲＢＢ５」に対応する「ＲＢＢ５内部中」と、ボーナス状態の後述する「ＲＢＢ６」に対応する「ＲＢＢ６内部中」とが設けられている。そして、ボーナス内部中状態において、各ボーナス移行役に対応する図柄61を有効ライン86上に停止表示することで終了する（ボーナス状態へ移行する）。
【００７６】
（ボーナス状態制御手段253）
ボーナス状態制御手段253は、「ボーナス状態」を制御するものである。本実施形態では、ボーナス状態として、「ＲＢＢ１」と、「ＲＢＢ２」と、「ＲＢＢ３」と、「ＲＢＢ４」と、「ＲＢＢ５」と、「ＲＢＢ６」とが設けられている。ボーナス状態では、一例として、いわゆるＲＢ（レギュラーボーナス）が連続作動するＢＢ（ビッグボーナス）が行われる。そして、ボーナス状態は、所定の枚数、例えば、ＲＢＢ１〜４では２５枚を超えるメダルの払出し、ＲＢＢ４〜６では３枚を超えるメダルの払出しで終了する。
【００７７】
（演出状態制御手段260）
演出状態制御手段260は、演出状態を制御するためのものである。
具体的には、演出状態制御手段260は、図４に示すように、通常状態制御手段261及びＡＴ状態制御手段262の各手段を有する。
【００７８】
（通常状態制御手段261）
通常状態制御手段261は、通常区間に属する「第１通常状態」（非ＡＴ遊技）と、有利区間に属する「第２通常状態」とを制御するものである。
ここで、「通常区間」とは、遊技者にとって有利なストップスイッチ50の押し順の表示が行われない区間を意味する。すなわち、「通常区間」とは、後述するＡＴ遊技を行うことが許容されない区間である。また、「非ＡＴ遊技」は、「ＡＴ遊技」の非作動状態を意味する。
【００７９】
（ＡＴ状態制御手段262）
ＡＴ状態制御手段262は、有利区間に属する「ＡＴ状態」（ＡＴ遊技）を制御するものである。
ここで、ＡＴ遊技における「ＡＴ」とは「アシストタイム」の略語であり、「ＡＴ遊技」が開始されると、当選した小役の押し順が報知される等、遊技者にとって有利なストップスイッチ50の押し順の表示が行われる。これにより、「ＡＴ遊技」が開始されると、表示された押し順に従ってストップスイッチ50を操作することで、例えば、当選した小役の図柄61の組合せを停止表示させ、当選した小役に対応する所定枚数のメダルを獲得することができる。
【００８０】
このＡＴ状態では、シナリオ管理型の「バトル遊技」が行われる。
バトル遊技とは、指標としてのキャラクターであって、遊技者側の味方キャラクターと、複数のキャラクターの中から選択された参加キャラクター（敵キャラクター）とのバトル（対戦）が行われる遊技である。
このバトル遊技では、遊技者側キャラクター及び敵側キャラクターには、バトルにおいて耐えることができるダメージを数値化したデータ（体力）としてのヒットポイント（ＨＰ）を有している。バトルで攻撃を受けて負傷した場合に（減算されて）低下し、ヒットポイントが０になると、当該キャラクターは死亡し負けたことになる。遊技者側キャラクターのＨＰが０になる前に敵側キャラクターのＨＰを０にすると、遊技者側の勝利となる。
本実施の形態では、遊技者側キャラクターのＨＰが０になる前に敵側キャラクターに設定されるヒットポイント（ＨＰ）を０にして当該バトルで勝利することにより、次のセットの遊技を開始することができ、当該バトルで負けた場合には、次のセットの遊技を開始することができない。本実施の形態では、「敵側のＨＰを０にすること」は、いわゆる「継続条件の成立」に相当する。
本実施の形態では、各セットの最後の３ゲームにおいて、継続バトルゲームが行われるように形成されている。ＡＴ状態における各セットにおいて、最後の３ゲームの継続バトルゲームに至るまでのゲームでは、各遊技で、遊技者側キャラクターのＨＰのレベルアップが可能に形成されている。ＡＴ状態制御手段262では、後述する継続抽選手段265によるセット開始時の継続抽選の結果に基づいて、継続示唆演出の一環として、遊技者側のＨＰのレベルアップが予め組み込まれたプログラムにより演出表示が行われるように設定されている。すなわち、ＡＴ状態制御手段262では、セット開始時の継続抽選の結果で継続することに決定されている場合には、セット最後の３ゲームの継続バトルゲームに至るまでに、遊技者側のＨＰが高い数値に加算されてレベルアップされていくような演出表示となるように予めプログラミングされてあり、セット開始時の継続抽選の結果で次のセットに継続することに決定されていない場合には、継続バトルゲームに至るまでに遊技者側のＨＰが低い数値のままで高い数値に変化しないような演出表示となるように予めプログラミングされている。
そして、ＡＴ状態制御手段262により、各セットの最後の３ゲームの継続バトルゲームでも、バトル演出によりＨＰの数値は上下に変化するが、最終的には、セット開始時の継続抽選の結果に沿ったＨＰとなって、当該結果に沿った勝敗となるような演出が行われるように設定されている。
【００８１】
なお、本実施の形態では、設けていないが、現在の有利区間を終了させる所定期間の遊技であって、現在の有利区間を終了して通常区間へ移行するためのエンディング遊技を設けてもよい。
【００８２】
本実施形態では、バトル遊技の最初だけに登場するサブキャラクターとして、６種類のサブキャラクター（キャラクターＰ、キャラクターＱ、キャラクターＲ、キャラクターＳ、キャラクターＴ、及びキャラクターＵ）を設けている。
【００８３】
本実施の形態では、通常遊技状態としての第２通常状態と、当該第２通常状態中に所定条件の成立を契機として移行可能であり、複数の単位期間に亘って当該第２通常状態より遊技者に有利な有利遊技状態としてのＡＴ状態とを備えている。
また、本実施の形態では、図１８（Ａ）に示すように、ＡＴ状態では、単位期間の経過後も有利遊技状態の制御を継続するか否かを決定するためのデータであって単位期間毎に継続抽選として用いる継続率が上限の単位期間まで規定された抽選データを複数備えている。具体的には、図１８に示すように、Ａ、Ｂ、Ｃ、Ｄ、Ｅ、Ｆの６個の抽選データを備えている。なお、このＡ、Ｂ、Ｃ、Ｄ、Ｅ、Ｆの６個の各抽選データは、上述したサブキャラクターＰ、Ｑ、Ｒ、Ｓ、Ｔ、Ｕにそれぞれ順に対応しているものであり、対応するキャラクターが当該抽選データの演出の最初に登場するサブキャラクターになるものである。これにより、遊技者は、サブキャラクターの種類を判別することにより、いずれの抽選テーブルが使用されているかを判別することができるように形成されている。もちろん、サブキャラクターにより必ず判別することができることに限定されるものではなく、一部しか判別することができないものや、全て判別することができないようになっているものも含まれる。
【００８４】
本実施の形態では、所定契機（具体的には、ＡＴ移行当選）に基づき有利遊技状態としてのＡＴ状態を行うときに、１の抽選データを用いて有利遊技状態としてのＡＴ状態の継続抽選を実行可能に形成されている。
【００８５】
ＡＴ状態制御手段262は、図４に示すように、抽選データ決定手段264と、継続抽選手段265と、特別状態制御手段266と、特別状態抽選手段267とを備えている。
抽選データ決定手段264は、使用する抽選データを決定するためのものである。具体的には、ＡＴ状態への移行時において、図１８（Ａ）の抽選データＡ〜Ｆのいずれを使用するかを図１８（Ｃ）に示す抽選確率（振り分け率）によって、抽選により決定するものである。具体的には、抽選データＡ、Ｂ、Ｃ、Ｄ、Ｅ、Ｆは、それぞれ３０％、２５％、２０％、２０％、４％、１％の抽選確率に設定されてあり、当該抽選確率に基づく抽選により、抽選データ決定手段264が決定するものである。
【００８６】
継続抽選手段265は、抽選データ決定手段264が決定した抽選データに基づき継続抽選を行うためのものである。
具体的には、例えば、抽選データ決定手段264が、上述した振り分け率により抽選した結果、抽選データが決定されたとする。かかる場合、継続抽選手段265は、バトル遊技の１セットから７セットまで、各セットの継続率が、８０％、１０％、８０％、１０％、８０％、１０％に設定されており、当該継続率に基づいて、セット開始時に次のセットを継続するか否かの継続抽選を行うように形成されているものである。なお、継続抽選手段265の継続抽選の結果に基づいて、遊技者側及び敵側キャラクターのＨＰが予めプログラミングされている。
【００８７】
特別状態制御手段266は、上限の単位期間を実行しても継続抽選の結果が継続しない結果とならなかった場合（すなわち、継続する結果となった場合）、特別データを用いる特別状態へ移行させる。この特別データは、複数の抽選データとは異なるデータである。
【００８８】
特別状態制御手段266は、上限の単位期間に到達していない途中の単位期間において、特別条件（具体的には、特別状態への移行抽選に当選）が成立すると、継続可能とする上限の単位期間まで実行せずに抽選データを用いた遊技を終了して特別状態へ移行させ、当該特別状態の継続処理を特別データを用いて行うためのものである。
【００８９】
さらに、特別状態制御手段266は、特別条件が成立して特別状態へ移行したときは、終了した抽選データのうち未消化の単位期間に応じた継続率を用いて遊技者に有利な権利に関する特殊処理を行うためのものである。
特別状態制御手段266は、例えば、抽選データＤにおいて、ＡＴ状態の３戦目のセットに継続するとき、特別状態抽選手段267の抽選確率１％の抽選で、特別状態に移行することに決定された場合、４〜７戦目は、遊技をすることなく（消化されることなく）、特別状態へ移行することになる。このとき、選択されている抽選データＤの４〜７戦目の継続率は、１０％、８０％、１０％、８０％となっているため、当該継続率のデータ１０％、８０％、１０％、８０％を利用して、４回、抽選を行い、当選した回数だけストックし、当該ストックした回数だけ、特別状態を強制的に継続することができるように形成されている。この場合、特別状態をストックしている回数だけ実施した後（消化した後）、特別状態の継続率である８５％の確率で、さらに、特別状態の継続抽選を継続抽選手段265により実施するように形成されている。
【００９０】
また、例えば、選択されている抽選データがＦの場合には、上述した例の場合、抽選データＦの４〜７戦目の継続率は、１００％、１００％、１００％、１００％となっているため、当該継続率のデータである１００％、１００％、１００％、１００％を利用して４回、抽選を行い、当選した回数、すなわち４回確実に当選することになり、４回のストックを獲得し、当選した回数４回だけ、特別状態の１セット５０回の遊技を実施した後（消化した後）、特別状態の継続率である８５％の確率で、さらに、特別状態の継続抽選を継続抽選手段265により実施するように形成されているものである。
【００９１】
特別状態抽選手段267は、ＡＴ状態の毎回の遊技中、及び、ＡＴ状態の各セットの最初の遊技において、所定の抽選確率に基づいて、特別状態へ移行するか否かの抽選を行うためのものである。
具体的には、特別状態抽選手段267は、ＡＴ状態の毎回の遊技中、１／１６３８４の確率で特別状態へ移行するか否かの抽選を行っている。
また、特別状態抽選手段267により、ＡＴ状態の２戦目及び４戦目のセットに継続するとき、０．１％の確率で、また、３戦目のセットに継続するとき、１％の確率で、また、５戦目のセットに継続するとき２％の確率で、特別状態へ移行するか否かの抽選を行っている。なお、６〜７戦目のセットに継続するときは、当該抽選は行っていない。
【００９２】
ＡＴ状態制御手段262において、ＡＴ状態では、単位期間の経過後も有利遊技状態としてのＡＴ状態を継続するか否かを決定するためのデータであって単位期間毎に継続抽選として用いる継続率が上限の単位期間まで規定された抽選データを複数備えている。
【００９３】
本実施の形態では、上限の単位期間（具体的には、後述する図１８（Ａ）の７戦目）を実行しても継続抽選の結果が継続しない結果とならなかった場合に、特別データ（図１８（Ｂ））を用いる特別状態へ移行する。この特別データは、図１８（Ａ）に示すような複数の抽選データとは異なるデータである（図１８（Ｂ）参照）。
また、本実施の形態では、上限の単位期間（具体的には、後述する図１８（Ａ）の７戦目）に到達していない途中の単位期間において、特別条件（特別状態への移行抽選に当選）が成立すると、継続可能とする上限の単位期間（具体的には、後述する図１８（Ａ）の７戦目）まで実行せずに抽選データを用いた遊技を終了して特別状態（図１８（Ｂ））へ移行し、当該特別状態の継続処理を特別データ（図１８（Ｂ））を用いて行うように形成されている。
さらに、本実施の形態では、特別条件としての特別状態への移行抽選の当選が成立して特別状態へ移行したときは、終了した抽選データのうち未消化の単位期間に応じた継続率を用いて遊技者に有利な権利に関する特殊処理を行うことを特徴とするものである。
【００９４】
また、ＡＴ状態制御手段262は、各バトル遊技の開始時において、バトル遊技のゲーム数であるバトルゲーム数を、バトルゲーム数決定抽選を行うことにより決定する。本実施形態では、所定期間のバトルゲーム数が複数設けられており、具体的には、「２０ゲーム」、「４０ゲーム」、「６０ゲーム」、「８０ゲーム」、及び「１００ゲーム」の５種類が設けられている。そして、ＡＴ状態制御手段262が行うバトルゲーム数決定抽選は、２０ゲームの確率が「４０％」、４０ゲームの確率が「２５％」、６０ゲームの確率が「２０％」、８０ゲームの確率が「１０％」、１００ゲームの確率が「５％」に設定されている。このバトルゲーム数決定抽選により決定されるゲーム数が、各セットのゲーム数となるものである。
【００９５】
本実施形態では、継続権利獲得抽選に当選した場合には、継続権利を「１」獲得するよう設定されている。そして、ＡＴ状態制御手段262は、継続権利獲得抽選に当選した場合には、獲得した継続権利を読み書き可能な所定の記憶領域に記憶する。
【００９６】
（ＡＴ移行ゲーム数抽選手段270）
ＡＴ移行ゲーム数抽選手段270は、第２通常状態のゲーム数、つまり第１通常状態から第２通常状態に移行後、ＡＴ状態に移行するまでに要するＡＴ移行ゲーム数を決定するＡＴ移行ゲーム数抽選を行うものである。
本実施形態では、ＡＴ移行ゲーム数が複数設けられており、具体的には、「４００ゲーム」、「６００ゲーム」、「８００ゲーム」、及び「１０００ゲーム」の４種類が設けられている。また、ＡＴ移行ゲーム数抽選手段270が行うＡＴ移行ゲーム数抽選は、４００ゲームの確率が「２０％」、６００ゲームの確率が「３０％」、８００ゲームの確率が「３０％」、１０００ゲームの確率が「２０％」に設定されている。
【００９７】
そして、ＡＴ移行ゲーム数抽選手段270は、通常区間から有利区間に移行したことに基づいて、上記のＡＴ移行ゲーム数抽選を行い、当該有利区間におけるＡＴ移行ゲーム数を決定する。
【００９８】
（計数手段280）
計数手段280は、あるゲーム数を記憶して、そのゲーム数の計数を行うものである。この計数手段280は、有利区間の経過ゲーム数を示す有利区間経過ゲーム数を計数するための有利区間経過ゲーム数カウンタ281と、ＡＴ移行ゲーム数抽選手段270によるＡＴ移行ゲーム数抽選により決定されたＡＴ移行ゲーム数を計数するためのＡＴ移行ゲーム数カウンタ282と、ＡＴ状態で行われるバトル遊技のゲーム数であるバトルゲーム数を計数するためのバトルゲーム数カウンタ283と、を備えている。
【００９９】
計数手段280は、通常区間から有利区間に移行したことに基づいて、１回の有利区間で遊技可能な上限ゲーム数である「１５００ゲーム」に対応する値（１５００）を有利区間経過ゲーム数カウンタ281に設定する。そして、計数手段280は、当該有利区間における遊技を１ゲーム行う毎に、有利区間経過ゲーム数カウンタ281の値から「１」を減じる。
【０１００】
計数手段280は、ＡＴ移行ゲーム数抽選手段270によりＡＴ移行ゲーム数が決定されたことに基づいて、当該決定されたＡＴ移行ゲーム数（例：６００ゲーム）に対応する値（例：６００）をＡＴ移行ゲーム数カウンタ282に設定する。そして、計数手段280は、第２通常状態における遊技を１ゲーム行う毎に、ＡＴ移行ゲーム数カウンタ282の値から「１」を減じる。
【０１０１】
計数手段280は、ＡＴ状態制御手段262によりバトルゲーム数が決定されたことに基づいて、当該決定されたバトルゲーム数（例：３０ゲーム）に対応する値（例：３０）をバトルゲーム数カウンタ283に設定する。そして、計数手段280は、ＡＴ状態における遊技を１ゲーム行う毎に、バトルゲーム数カウンタ283の値から「１」を減じる。
【０１０２】
なお、計数手段280は、上記の各カウンタに対応する値を設定する前に、各カウンタの値の初期化を行っている。
【０１０３】
（遊技履歴監視手段290）
遊技履歴監視手段290は、少なくともメダルの払い出し枚数や出玉率等の遊技履歴の監視を行うものである。
本実施形態では、遊技履歴監視手段290は、各有利区間における遊技者の獲得枚数（いわゆる最大持ち玉数）の監視を行っており、獲得枚数が所定数に到達したことを検出している。具体的には、遊技履歴監視手段290は、各有利区間における遊技者の獲得枚数が「２３５０枚」に到達したこと、及び、各有利区間における遊技者の獲得枚数が「２４００枚」に到達したことを検出する。
【０１０４】
そして、本実施形態では、遊技履歴監視手段290により、各有利区間における遊技者の獲得枚数が「２３５０枚」に到達したことが検出された場合には、後述する報知手段420により、有利区間の終了を遊技者が認識可能な演出が行われる。
【０１０５】
また、本実施形態では、遊技履歴監視手段290により、各有利区間における遊技者の獲得枚数が「２４００枚」に到達したことが検出された場合には、演出状態制御手段260により、当該有利区間が終了される。
【０１０６】
（送信手段390）
送信手段390は、サブ制御手段400へ信号（コマンド）を送信するためのものである。
送信手段390は、役抽選の抽選結果に関する情報、いわゆる当選役情報をサブ制御手段400の受信手段410へ送信する。
【０１０７】
（サブ制御手段400）
サブ制御手段400は、図５に示すように、受信手段410及び報知手段420の各手段を有する。各手段の詳細については後述する。
【０１０８】
以上の構成をもって、サブ制御手段400は、メイン制御手段200からの信号を受けて、遊技の進行に伴う演出を行うものである。
【０１０９】
具体的には、サブ制御手段400は、演出用ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、表示装置84を駆動するための液晶制御基板（図示せず）に対して出力する映像データを規定するデータを出力したりする。
【０１１０】
（受信手段410）
受信手段410は、送信手段390から送信された信号（コマンド）を受信するものである。
【０１１１】
（報知手段420）
報知手段420は、表示装置84により行われる表示演出を実行するためのものである。
報知手段420は、役抽選の結果に基づく当選役に応じた演出や、ボーナス内部中遊技やボーナス遊技等に応じた演出等を行う。これらの演出は、それぞれ複数設けられており、報知手段420は、抽選により所定の演出を選択するとともに選択した演出を演出装置70を介して実行する。
【０１１２】
また、報知手段420は、演出装置70を用いて種々の情報、具体的には、演出を遊技者に報知するためのものでもある。
【０１１３】
この報知手段420は、役抽選の結果に基づく当選役に応じた演出や、ノーマル状態、ボーナス内部中状態又はボーナス状態の各遊技状態に応じた演出や、通常状態（第１通常状態及び第２通常状態）、ＡＴ状態に応じた演出や、押し順を報知するための演出等を遊技者に報知する。これらの演出は、それぞれ複数設けられており、報知手段420は、抽選により選択された演出やメイン制御手段200からの信号（コマンド）に対応する演出を演出装置70を用いて遊技者に報知する。例えば、本実施形態では、各バトル遊技の開始時において、ＡＴ状態制御手段262により、当該ＡＴ状態の遊技期間にて報知手段420により演出装置70に報知させる演出が決定されており、報知手段420は、このＡＴ状態制御手段262からの信号（コマンド）に対応する演出を演出装置70を用いて遊技者に報知する。
本実施の形態において、報知手段420が実行する演出には、特に図示していないが、継続可能とする上限の単位期間に到達していない途中の単位期間において、当該単位期間の継続期待度（具体的には、継続率の表示）を示唆する継続示唆演出と、特別条件が成立して特別データを用いた特別状態へ移行する可能性を示唆する可能性示唆演出とを備えている。
【０１１４】
継続示唆演出は、具体的には、図１８（Ａ）に示す抽選データの各単位期間における継続率の数値（例えば、１０％、８０％、１０％、８０％のような数値表示）が、表示装置84に表示されるものである。なお、継続示唆演出は、上述したように数値で明確且つ定量的に示唆するものに限定されるものではなく、例えば、色やキャラクター等や、また、所定のアイテムを表示させること等により継続率を漠然と示唆又は暗示するようなものでもよい。
また、当該セットの継続率を示唆するものに限らず、セット開始の際に継続抽選を行っているような場合には、当該セットが継続するか否かの結果に応じた示唆演出を実施するようにしてもよい。
可能性示唆演出は、表示装置84に、特別状態へ移行する可能性を示唆するような文字表示（例えば、「特別状態への移行可能性大！！！」）や特別状態への移行可能性が大きく期待できるようなキャラクター等が出現したり、スピーカー72からの音声による報知（例えば音声により「特別状態への移行可能性が大です」）のような報知演出が行われるものである。
本実施の形態によれば、上述したような継続示唆演出や、可能性示唆演出等により、上限の単位期間を実行して継続抽選の結果が継続する結果（いわゆるシナリオクリア）となる期待とともに、シナリオクリア後の特別データを用いる特別状態への移行の期待間も煽れるのでより一層の興趣向上を図ることができる。
【０１１５】
ＡＴ状態制御手段262からの信号（コマンド）に対応する演出には、少なくとも、バトル遊技に対応するバトル演出と、エンディング遊技に対応する終了演出としてのエンディング演出とがある。
【０１１６】
例えば、報知手段420は、バトル演出として、演出装置70の表示装置84に、参加キャラクター（敵キャラクター）とバトルしている映像を報知させたり、ＨＰやバトルゲーム数を報知させたりする。なお、本実施形態におけるバトル演出では、味方キャラクターは表示装置84に表示されず、参加キャラクターのみが表示装置84に表示される。その他、報知手段420は、バトル演出として、演出装置70のスピーカー72や演出用ランプ78を用いて、バトル演出に対応する態様で、スピーカー72から音声を出力したり、演出用ランプ78を点滅させたりする。以上のように、報知手段420は、バトル遊技が行われていることを遊技者が認識可能な態様でバトル演出を演出装置70に報知させている。
【０１１７】
一方、報知手段420は、ＡＴ状態制御手段262によりエンディング遊技が行われた場合には、エンディング遊技に対応する演出として、バトル遊技に対応するバトル演出とは異なり、かつ、有利区間の終了を示唆するエンディング演出を演出装置70に報知させる。
【０１１８】
例えば、報知手段420は、エンディング演出として、演出装置70の表示装置84に、「もうすぐ有利区間が終了します」との文字や、「スタッフロール」に対応する映像を報知させたりする。その他、報知手段420は、エンディング演出として、演出装置70のスピーカー72や演出用ランプ78を用いて、エンディング演出に対応する態様で、スピーカー72から音声を出力したり、演出用ランプ78を点滅させたりする。以上のように、報知手段420は、エンディング遊技が行われていること、すなわち、有利区間の終了を遊技者が認識可能な態様でエンディング演出を演出装置70に報知させている。
【０１１９】
さらに、報知手段420は、遊技履歴監視手段290により、各有利区間における遊技者の獲得枚数が「２３５０枚」に到達したことが検出された場合には、上記のエンディング演出のように、有利区間の終了を遊技者が認識可能な演出を所定の遊技期間（例：４ゲーム（なお、このゲーム数は、ＡＴ状態の純増枚数から算出されるゲーム数））継続して演出装置70に報知させる。この場合における演出の報知態様は、エンディング演出と同様であってもよいし（例：「もうすぐ有利区間が終了します」との文字）、異なっていてもよい（例：「有利区間は○○ゲーム以内に終了します」との文字）。
【０１２０】
（図６を用いた遊技状態の説明）
次に、図６を用いて遊技状態について説明する。
遊技状態は、メイン制御手段200により管理され、図６に示すように、大別すると、ノーマル状態、ボーナス内部中状態及びボーナス状態がある。
なお、図６において、ノーマル状態から下方への矢印は、役抽選の結果、各ボーナスに当選したが、各ボーナスの移行図柄を有効ライン86上に停止させることができずに、内部中状態へ移行することを示しており、いわゆる各ＲＢＢの条件装置が作動することを意味する。
【０１２１】
また、図６において、ノーマル状態から上方への矢印は、役抽選の結果、各ボーナスに当選し、且つ、各ボーナスに当選した遊技で、各ボーナスの移行図柄を有効ライン86上に停止表示させることを意味している。
また、図６において、ボーナス状態からノーマル状態の下方へ向かう矢印は、各ＲＢＢの遊技状態が終了し、ノーマル状態へ戻ることを意味している。
また、図６において、ボーナス内部中状態からボーナス状態の上方へ向かう矢印は、ボーナス内部中状態において、ボーナス移行図柄を有効ライン86上に停止表示させることができて、ボーナス状態へ移行することを意味している。
【０１２２】
ノーマル状態は、ノーマル状態制御手段251により制御される。ノーマル状態におけるリプレイ役への当選確率は、１／７．３（通常）に設定されている。また、ノーマル状態では、メダルの規定の賭け数が２枚又は３枚に設定されている。
【０１２３】
ボーナス内部中状態は、ボーナス内部中状態制御手段252により制御され、ノーマル状態において、役抽選にてボーナス移行役に当選し、当該ボーナス移行役に対応する図柄61を有効ライン86上に停止表示できなかった場合に移行する。このボーナス内部中状態では、リプレイ役への当選確率がノーマル状態よりも高く設定されている。また、ボーナス内部中状態では、メダルの規定の賭け数が２枚又は３枚に設定されている。
【０１２４】
そして、本実施形態では、上記のように、ボーナス内部中状態として、ＲＢＢ１内部中と、ＲＢＢ２内部中と、ＲＢＢ３内部中と、ＲＢＢ４内部中と、ＲＢＢ５内部中と、ＲＢＢ６内部中とが設けられている。つまり、本実施形態では、ノーマル状態において、役抽選にて第１ボーナス移行役に当選し、第１ボーナス移行役に対応する図柄61を有効ライン86上に停止表示できなかった場合にＲＢＢ１内部中に移行し、役抽選にて第２ボーナス移行役に当選し、第２ボーナス移行役に対応する図柄61を有効ライン86上に停止表示できなかった場合にＲＢＢ２内部中に移行し、第３ボーナス移行役に対応する図柄61を有効ライン86上に停止表示できなかった場合にＲＢＢ３内部中に移行し、第４ボーナス移行役に対応する図柄61を有効ライン86上に停止表示できなかった場合にＲＢＢ４内部中に移行し、第５ボーナス移行役に対応する図柄61を有効ライン86上に停止表示できなかった場合にＲＢＢ５内部中に移行し、第６ボーナス移行役に対応する図柄61を有効ライン86上に停止表示できなかった場合にＲＢＢ６内部中に移行する。
【０１２５】
ここで、本実施形態では、ボーナス内部中状態のうち、ＲＢＢ１内部中では第１ボーナス移行役に対応する図柄61を有効ライン86上に停止表示することが可能とされ、ＲＢＢ２内部中では第２ボーナス移行役に対応する図柄61を有効ライン86上に停止表示することが可能とされ、ＲＢＢ３内部中では第３ボーナス移行役に対応する図柄61を有効ライン86上に停止表示することが可能とされ、ＲＢＢ４内部中では第４ボーナス移行役に対応する図柄61を有効ライン86上に停止表示することが可能とされているが、ＲＢＢ５内部中では第５ボーナス移行役に対応する図柄61を有効ライン86上に停止表示することが不可能とされ、ＲＢＢ６内部中では第６ボーナス移行役に対応する図柄61を有効ライン86上に停止表示することが不可能とされている。
【０１２６】
具体的には、ＲＢＢ５内部中では、２枚の賭け数が設定されている場合には、リール制御手段220により、第５ボーナス移行役に対応する図柄61よりも、他の当選役に対応する図柄61を優先して引き込む制御が行われるため、第５ボーナス移行役に対応する図柄61が有効ライン86上に停止表示することがない。また、ＲＢＢ６内部中では、２枚の賭け数が設定されている場合には、リール制御手段220により、第６ボーナス移行役に対応する図柄61よりも、他の当選役に対応する図柄61を優先して引き込む制御が行われるため、第６ボーナス移行役に対応する図柄61が有効ライン86上に停止表示することがない。
また、ＲＢＢ５内部中では、３枚の賭け数が設定されている場合には、リール制御手段220により、第５ボーナス移行役に対応する図柄61が有効ライン86上に停止表示しないよう制御されるため、第５ボーナス移行役に対応する図柄61が有効ライン86上に停止表示することがない。
【０１２７】
また、ＲＢＢ６内部中では、３枚の賭け数が設定されている場合には、リール制御手段220により、第６ボーナス移行役に対応する図柄61が有効ライン86上に停止表示しないよう制御されるため、第６ボーナス移行役に対応する図柄61が有効ライン86上に停止表示することがない。
つまり、本実施形態におけるＲＢＢ５内部中及びＲＢＢ６内部中は、ＲＢＢ５内部中及びＲＢＢ６内部中に移行すると、他の状態へ移行することができない（抜け出すことができない）ように構成されている。
【０１２８】
また、本実施形態では、ＲＢＢ５内部中及びＲＢＢ６内部中において、３枚の賭け数が設定されている場合、「所定役」の当選時に、有利区間へ移行する。
この「所定役」について、具体的に説明すると、後述する図１３（ｂ）の四角点線枠で囲まれる部分であって、ＲＢＢ５、６内部中の、３枚投入時に、当選役グループとしての共通リプレイ、Ｂ７リプレイ、・・・、ＡＴＲＣ１、ＡＴＲＣ２を意味しており、これらの当選時に有利区間へ移行する。
そして、上記のように、ＲＢＢ５内部中や、ＲＢＢ６内部中に移行すると、他の状態へ移行することができない（抜け出すことができない）ため、有利区間中の遊技状態は、常にＲＢＢ５内部中や、ＲＢＢ６内部中となっている。
【０１２９】
ボーナス状態は、ボーナス状態制御手段253により制御され、ボーナス遊技としてＲＢＢ１〜ＲＢＢ６が行われる。このボーナス状態では、リプレイ役への当選確率が「０」に設定されている。
【０１３０】
ＲＢＢ１〜４は、ＲＢＢ１〜４内部中において、第１〜４ボーナス移行役に対応する図柄61を有効ライン86上に停止表示させることで移行する。また、ＲＢＢ１〜４は、ノーマル状態において、第１〜４ボーナス移行役に当選し、かつ第１〜４ボーナス移行役に対応する図柄61を有効ライン86上に停止表示させることで移行する。なお、ＲＢＢ１〜４では、メダルの規定の賭け数が３枚に設定されている。
【０１３１】
ＲＢＢ５〜６は、ノーマル状態において、第５〜６ボーナス移行役に当選し、かつ第５〜６ボーナス移行役に対応する図柄61を有効ライン86上に停止表示させることで移行する。そして、上記のように、ＲＢＢ５〜６内部中は、ＲＢＢ５〜６内部中に移行すると、他の状態へ移行することができない（抜け出すことができない）ように構成されているため、ＲＢＢ５〜６内部中からＲＢＢ５〜６に移行することはできない。なお、ＲＢＢ５〜６では、メダルの規定の賭け数が２枚に設定されている。なお、ボーナス移行役は他の役と同時当選しないため、当選した遊技でボーナス移行役を入賞させることは可能である。そのため、内部中を経由しなくても、ノーマル状態からボーナス状態への移行は可能になっている。
【０１３２】
「ボーナス状態」は、ＲＢが連続作動し、所定の終了条件が成立したことに基づいて終了する。本実施形態におけるボーナス状態では、所定の終了条件が「所定枚数のメダルの払出し」とされており、例えば、ＲＢＢ１〜４では２５枚を超えるメダルの払出し、ＲＢＢ５〜６では３枚を超えるメダルの払出しで終了する。そして、「ボーナス状態」の終了後、「ノーマル状態」に移行する。
【０１３３】
（図７を用いた演出状態の説明）
次に、図７を用いて演出状態について説明する。
図７に示すように、本実施形態では、遊技者にとって有利なストップスイッチ50の押し順の表示が行われない「通常区間」と、遊技者にとって有利なストップスイッチ50の押し順の表示が可能な「有利区間」とがある。
【０１３４】
（通常区間）
通常区間は、有利区間を除いた区間であって、遊技者にとって有利なストップスイッチ50の押し順の表示が行われない、すなわち、ＡＴ遊技を行うことができない区間である。そのため、通常区間を継続すると、結果として、遊技者が所有しているメダルの合計が減少することとなっている。「通常区間」としては、「第１通常状態」がある。
【０１３５】
（第１通常状態）
「第１通常状態」は、「有利区間」における「第２通常状態」及び「ＡＴ状態」を除いた状態である。
【０１３６】
（有利区間）
「有利区間」は、通常区間から移行可能であって、遊技者にとって有利なストップスイッチ50の押し順の表示を行うことができる区間である。すなわち、「有利区間」は、ＡＴ遊技を行うことが許容される区間である。
【０１３７】
有利区間は、当該区間における遊技の上限が定められ、その上限に到達したことに基づいて通常区間に移行することとされている。
【０１３８】
「有利区間における遊技の上限」には、１回の有利区間で遊技可能な上限ゲーム数である１５００ゲームを経過した場合と、１回の有利区間における遊技者の獲得枚数が「２４００枚」（いわゆる、ＭＹ２４００枚）に到達した場合と、の２種類が設けられている。そして、この２種類の上限の何れかを満たした場合には、有利区間が終了し、通常区間へ移行する。
【０１３９】
具体的には、計数手段280により計数される有利区間経過ゲーム数カウンタ281の値が「０」になった場合には、演出状態制御手段260により、有利区間から通常区間へ移行される。また、遊技履歴監視手段290により監視される１回の有利区間における遊技者の獲得枚数が「２４００枚」に到達した場合には、演出状態制御手段260により、有利区間から通常区間へ移行される。
【０１４０】
ここで、「有利区間」としては、「第２通常状態」及び「ＡＴ状態」がある。
【０１４１】
（第２通常状態）
第２通常状態は、「有利区間」に属し、「通常区間」から「有利区間」に移行した場合に最初に滞在する状態である。「通常区間」から「有利区間」、具体的には、「第１通常状態」から「第２通常状態」には、遊技状態が、ＲＢＢ５内部中又はＲＢＢ６内部中であり、且つ、３枚の賭け数が設定されている場合に、役抽選にて有利区間移行契機役（具体的には、後述する図１３（ｂ）の四角点線枠に対応する当選役グループ）に当選したことに基づいて移行する。
【０１４２】
この第２通常状態は、通常区間における第１通常状態を継続した状態となっており、演出装置70には報知手段420により第１通常状態と同様の演出が報知される。つまり、「第１通常状態」と「第２通常状態」との違いは、滞在している区間が「通常区間」か「有利区間」かの違いとなっている。
【０１４３】
また、通常区間から有利区間に移行した、すなわち、第２通常状態に移行したことに基づいて、計数手段280により、１回の有利区間で遊技可能な上限ゲーム数である「１５００ゲーム」に対応する値（１５００）が有利区間経過ゲーム数カウンタ281に設定される。さらに、第２通常状態に移行したことに基づいて、ＡＴ移行ゲーム数抽選手段270が行うＡＴ移行ゲーム数抽選により決定されたＡＴ移行ゲーム数に対応する値（例：６００）が、計数手段280によりＡＴ移行ゲーム数カウンタ282に設定される。また、遊技履歴監視手段290も、遊技履歴の監視（計数）を開始する。
【０１４４】
そして、第２通常状態中に、計数手段280により計数されるＡＴ移行ゲーム数カウンタ282の値が「０」になった場合には、ＡＴ状態、具体的には、ＡＴ状態へ移行する。
なお、ＡＴ状態への移行条件は上述したものに限定されるものではなく、当選役（レア役）によるＡＴ移行抽選や、チャンスゾーンによる所定の解除条件成立や、フリーズ抽選当選などでＡＴ状態に移行するように設定してもよい。
【０１４５】
（ＡＴ状態）
ＡＴ状態は、「有利区間」に属し、当選した押し順役の押し順が報知される遊技であるＡＴ遊技が行われる状態である。そのため、ＡＴ状態では、報知された押し順に従ってストップスイッチ50を操作することで、例えば、当選した小役の図柄61の組合せを停止表示でき、成立した小役に対応する所定枚数のメダルを獲得することができる。
【０１４６】
（ＡＴ状態）
ＡＴ状態は、第２通常状態から移行するＡＴ状態である。このＡＴ状態では、図１８（Ａ）に示すような継続率に基づいて継続抽選が行われるバトル遊技が行われる。
【０１４７】
（バトル遊技）
バトル遊技は、ＡＴ遊技が行われるとともに、上記のように、味方キャラクターと参加キャラクター（敵キャラクター）とのバトルが行われ、セット開始時の遊技において実施される次セットの継続抽選処理に当選している場合には、当該セットのバトル演出で勝利し、次のバトル遊技が開始される遊技である。また、セット開始時の遊技において実施される次セットの継続抽選処理に当選していない場合には、当該セットのバトル演出で敗北し、次のバトル遊技が開始されることなく、第１通常状態へ移行する。
【０１４８】
ここで、バトル遊技が行われている間は、バトル演出として、報知手段420により、演出装置70の表示装置84に、参加キャラクター（敵キャラクター）とバトルしている映像や、バトルゲーム数等が報知される。そのため、バトル演出を見た遊技者は、バトル遊技が行われていることを認識可能となっている。
【０１４９】
そして、本実施形態では、ＡＴ状態の終了条件が複数種類（２種類）設けられており、そのうちの何れかの終了条件が成立したことに基づいて、ＡＴ状態制御手段262によりＡＴ状態が終了される。なお、ＡＴ状態の終了条件には、以下の２種類がある。
（１）継続抽選に当選せずに次セットに継続せずバトルに敗北した場合
（２）特別状態に移行した後、継続抽選に当選せずにバトルに敗北した場合
【０１５０】
ＡＴ状態の終了条件のうち、上記の（１）は、図１８（Ａ）に示すシナリオ管理型のＡＴ状態において各セットの開始時に行われる次のセットの継続抽選に当選せずに、次セットに継続しない場合、当該セットでのバトル演出は敗北演出が実施され、ＡＴ状態の終了条件が成立する。
この場合、ＡＴ状態制御手段262によりＡＴ状態が終了され、これに伴い第１通常状態へ移行される。
【０１５１】
ＡＴ状態の終了条件のうち、上記の（２）は、特別状態に移行した後、当該セットの開始の遊技で行われる図１８（Ｂ）に示す８５％の抽選確率の継続抽選に当選しなかった場合、当該セットのバトル演出は敗北演出が実施され、特別状態が終了し、ＡＴ状態の終了条件が成立する。
【０１５２】
なお、ＡＴ状態は、上記のＡＴ状態の終了条件の成立の有無にかかわらず、有利区間における遊技の上限に到達したことに基づいて終了する。具体的には、ＡＴ状態は、上記のＡＴ状態の終了条件の成立の有無にかかわらず、１回の有利区間で遊技可能な上限ゲーム数である１５００ゲームを経過した場合、又は１回の有利区間における遊技者の獲得枚数が２４００枚に到達した場合には、有利区間の終了に伴い終了する。
【０１５３】
なお、本実施形態では、有利区間から通常区間に移行した場合には、移行前の有利区間に関する情報（例：ＡＴ遊技であることを示すフラグ情報やＡＴ遊技の残りゲーム数を示す情報）が初期化される。
【０１５４】
図８〜図１２は、役の名称と、左リール64（Ｌ）、中リール66（Ｃ）、右リール68（Ｒ）の図柄の組み合わせと、入賞したときの配当（払出枚数）とを示している。
例えば、図１０の役名称ＰＺ１は、小役（ベル）であって、左リール64（Ｌ）、中リール66（Ｃ）、右リール68（Ｒ）の図柄61の組み合わせがリプレイ（ＲＰ）、ベル（ＢＥ）、チェリー（ＣＨ）であり、賭け数３枚のときの配当が１５枚、賭け数２枚のときの配当が２枚に設定されていることを示している。
【０１５５】
図８には、ボーナス遊技の移行役の図柄の組み合わせと、配当と、終了条件等の内容とが記載されている。
例えば、ＲＢＢ１〜４は、３枚投入時に有効となる、３枚賭けの遊技であり、２５枚を超える払い出しで終了するように設定されている。
ＲＢＢ５，６は、２枚投入時に有効となる、いわゆる２枚賭けの遊技であり、３枚を超える払い出しで終了するように設定されている。
また、例えば、ＲＢＢ１の移行図柄は、（ブランク（ＢＬ）、赤セブン（Ｒ７）、青セブン（Ｂ７））であり、例えば、ＲＢＢ５の移行図柄は、（ブランク（ＢＬ）、ブランク（ＢＬ）、赤セブン（Ｒ７））である。
【０１５６】
図９に示すように、再遊技役の図柄の組み合わせと、賭け数と、内容とが設定されている。
例えば、中段リプレイは、図柄61の組み合わせが、左リール64、中リール66、右リール68の順に（リプレイ（ＲＰ）、リプレイ（ＲＰ）、リプレイ（ＲＰ））である。
【０１５７】
図１０〜図１２に示すように、小役の図柄の組み合わせと、賭け数と、その賭け数のときの払出枚数とが設定されている。
例えば、ベルの役名称ＰＺ１の図柄61の組み合わせとして、左リール64、中リール66、右リール68の順に（リプレイ（ＲＰ）、ベル（ＢＥ）、チェリー（ＣＨ））があり、これは、賭け数が３枚のときに入賞すると払出枚数が１５枚であり、賭け数が２枚のときに入賞すると払出枚数が２枚となるように設定されている。
【０１５８】
図１３（ａ）は当選役グループ及び重複当選役の関係を示す説明図、図１３（ｂ）は遊技状態毎の抽選対象となる当選役グループの説明図である。
役抽選手段210で抽選されるのは、当該当選役グループである。
例えば、図１３（ａ）に示すように、当選役グループＢ７リプレイは、重複当選役として、ＲＰ１、ＲＰ７、ＲＰ８、ＲＰ９、ＲＰ１０、ＲＰ１１を有している。すなわち、役抽選の結果、当選役グループとしてのＢ７リプレイに当選した場合、重複当選役としてのＲＰ１、ＲＰ７、ＲＰ８、ＲＰ９、ＲＰ１０、ＲＰ１１の役が、同時に重複して当選していることになる。
【０１５９】
また、例えば、当選役グループＡＴＬＣ１に当選した場合、重複当選役としてのＰＺ１、ＰＺ８、ＰＺ１０、ＰＺ５３、ＰＺ５５、ＰＺ５７、ＰＺ５９、ＰＺ８１、ＰＺ８３、ＰＺ９３、ＰＺ９５、ＰＺ１１２、ＰＺ１１３、ＰＺ１１４、ＰＺ１１５、ＰＺ１１６、ＰＺ１１７、ＰＺ１１８、ＰＺ１１９の役が、同時に重複して当選していることになる。
また、例えば、図１３（ｂ）に示すように、当選役グループＢ７リプレイは、３枚投入時（３枚賭け）のときは、ノーマル状態、ＲＢＢ１〜４内部中、ＲＢＢ５，６の場合に抽選対象となり、２枚投入時（２枚賭け）のときは、ノーマル状態、ＲＢＢ１〜４内部中、ＲＢＢ５，６内部中のときに抽選対象となる。
なお、図１３（ｂ）の四角点線枠で囲まれる部分であって、３枚投入時のＲＢＢ５、６内部中に、当選役グループとしての共通リプレイ、Ｂ７リプレイ、・・・、ＡＴＲＣ１、ＡＴＲＣ２の当選時に有利区間へ移行するように設定されている。
【０１６０】
図１４は、賭け数が３枚であるときの各遊技状態における出玉率（払出枚数／投入枚数）が１を超えるものに○記号を付し、１以下となるものに×記号を付している。また、停止操作順序を報知可能な遊技状態であるか否かに関して、各遊技状態で可能であるものに○記号を付し、可能でないものに×記号を付しているものである。なお、ＡＴを行うのは、ＲＢＢ５内部中、ＲＢＢ６内部中になる。
３枚投入時において、ＲＴ０、ＲＢＢ１Ｆ〜ＲＢＢ６Ｆのときは、出玉率が１を超え、ＲＢＢ１〜６のときは、出玉率が１以下となるように設定されている。
なお、２枚投入時には、全ての欄の記号が×となるように設定されている。
したがって、第３遊技状態としてのＲＢＢ５内部中及びＲＢＢ６内部中では、遊技者にとって有利度が異なる演出である通常状態（第１通常状態、第２通常状態）、ＡＴ状態が実行可能に形成されている。
【０１６１】
これにより、第３遊技状態としてのＲＢＢ５内部中及びＲＢＢ６内部中では、遊技者にとって有利度が異なる演出である停止操作報知演出が行われない、通常状態（第１通常状態、第２通常状態）、停止操作報知演出を行うＡＴ状態が実行可能に形成されていることで、さらに興趣に富む遊技にすることができる。
【０１６２】
図１５（ａ）〜（ｆ）及び図１６（ｇ）〜（ｌ）は、ＡＴベル役としての１２種類の当選役グループＡＴＬＣ１〜ＡＴＲＣ２と、それらの各重複当選役の種類を示しているものである。なお、これらの１２種類のＡＴベル役は、左リール64、中リール66、右リール68の停止操作する順番、いわゆる停止操作順序（押し順）が６択の中から正解の停止操作順序（押し順）で操作したときに所定枚数の払出を伴う所定の図柄組み合わせが有効ライン86上に揃う、いわゆる押し順ベル役である（なお、いわゆる取りこぼしも有する。図１７参照）。図中の右側の記号Ａ〜Ｅは、各遊技状態における停止制御の内容を説明するために便宜上付与しているものである。各記号に示す役は、各当選役グループにおいて以下に示すような停止制御が行われる。
【０１６３】
本実施の形態では、各遊技状態（ノーマル状態、ＲＢＢ１〜４内部中、ＲＢＢ５内部中、６内部中）において、図１５及び図１６に示す各当選役グループ（ＡＴＬＣ１〜ＡＴＲＣ２）の複数の重複当選役のうち、いずれの役を優先して有効ライン86上に引き込む制御を行うかに特徴を有しているものである。
【０１６４】
先ず、遊技状態がノーマル状態において、各当選役グループ（ＡＴＬＣ１〜ＡＴＲＣ２の１２種類）のいずれかが当選している場合、停止操作順序に関係無く、各当選役グループ（ＡＴＬＣ１〜ＡＴＲＣ２の１２種類）の重複当選役のうち、記号Ｃ、Ｅで示される役に係る図柄組み合わせを有効ライン86上に優先的に引き込んで停止させる停止制御処理が行われる。この記号Ｃ、Ｅで示される役は、いずれも払出が１枚となる１枚役からなる。
【０１６５】
次に、遊技状態が、３枚賭けであってＲＢＢ１〜４の内部中状態において、各当選役グループ（ＡＴＬＣ１〜ＡＴＲＣ２の１２種類）のうち、当選役グループＡＴＬＣ１又はＡＴＬＣ２に当選している場合、停止操作順序に関係なく、各重複当選役のうち、記号Ａで示される役に係る図柄組み合わせを有効ライン86上に引き込んで停止させる停止制御処理が行われる。この記号Ａで示される役は、いずれも入賞したときの払出が１５枚となる１５枚役に設定されている。
【０１６６】
更に具体的には、遊技状態が、３枚賭けであってＲＢＢ１〜４の内部中状態の場合、各当選役グループ（ＡＴＬＣ１〜ＡＴＲＣ２の１２種類）のうち、当選役グループＡＴＬＣ１に当選している場合、停止操作順序に関係なく、各重複当選役のうち、記号Ａで示される役であるＰＺ１に係る図柄組み合わせを有効ライン86上に引き込んで停止させる停止制御処理が行われる。
また、遊技状態が、ＲＢＢ１〜４の内部中状態の場合（３枚賭け）、各当選役グループ（ＡＴＬＣ１〜ＡＴＲＣ２の１２種類）のうち、当選役グループＡＴＬＣ２に当選している場合、停止操作順序に関係なく、各重複当選役のうち、記号Ａで示される役であるＰＺ２に係る図柄組み合わせを有効ライン86上に引き込んで停止させる停止制御処理が行われる。
【０１６７】
例えば、当選役グループＡＴＬＣ１の場合は、記号Ａとなる役は、図１５（ａ）に示すようにＰＺ１であり、このＰＺ１は、図１０に示すように、図柄の組み合わせが（リプレイ（ＲＰ）、ベル（ＢＥ）、チェリー（ＣＨ））であって、３枚賭けの配当が１５枚に設定されている。
また、例えば、当選役グループＡＴＬＣ２の場合は、記号Ａとなる重複当選役は、図１５（ｂ）に示すようにＰＺ２であり、このＰＺ２は、図１０に示すように、図柄の組み合わせが（リプレイ（ＲＰ）、チェリー（ＣＨ）、リプレイ（ＲＰ））であって、３枚賭けの配当が１５枚に設定されている。
【０１６８】
また、遊技状態が、３枚賭けであってＲＢＢ１〜４の内部中状態の場合、各当選役グループ（ＡＴＬＣ１〜ＡＴＲＣ２の１２種類）のうち、上述した当選役グループＡＴＬＣ１及びＡＴＬＣ２以外のＡＴＬＲ１〜ＡＴＲＣ２の１０種類のいずれかに当選している場合、停止操作順序に関係なく、各重複当選役のうち、記号Ｃ、又はＥで示される役に係る図柄組み合わせを有効ライン86上に引き込んで停止させる停止制御処理が行われる。この記号Ｃ又はＥで示される役は、いずれも入賞したときの払出が１枚となる１枚役に設定されている。
【０１６９】
例えば、当選役グループＡＴＬＲ１の場合、記号Ｅで示される重複当選役として、例えば重複当選役ＰＺ１１２があり、このＰＺ１１２は、図１２に示すように、図柄組み合わせが（ベル（ＢＥ）、赤セブン（Ｒ７）、リプレイ（ＲＰ））であって、３枚賭けで入賞したときの配当が１枚となる１枚役に設定されているものである。
上述したように、ＲＢＢ１〜４の内部中状態では、当選役グループ（ＡＴＬＣ１〜ＡＴＲＣ２の１２種類）のいずれかが当選した場合、複数の当選役グループのうち、一部の当選役グループであるＡＴＬＣ１と、ＡＴＬＣ２の２種類では、停止操作順序に関わらず、遊技者にとって付与される利益が有利な役である１５枚役が入賞し、複数の当選役グループ（ＡＴＬＣ１〜ＡＴＲＣ２の１２種類）のうち、前記一部以外の重複役（具体的にはＡＴＬＲ１〜ＡＴＲＣ２の１０種類）は、停止操作順序に関わらず、遊技者にとって付与される利益が不利となる１枚役が入賞している。
【０１７０】
次に、遊技状態がＲＢＢ５内部中又はＲＢＢ６内部中において、各当選役グループ（ＡＴＬＣ１〜ＡＴＲＣ２の１２種類）のいずれかが当選している場合、停止操作順序が正解であれば、記号Ａで示される役に係る図柄組み合わせを有効ライン86上に優先的に引き込んで停止させる停止制御処理が行われる。この記号Ａで示される重複当選役は、いずれも払出が１５枚となる１５枚役からなる。
また、停止操作順序が第１停止操作正解、第２停止操作不正解の場合、記号Ｂ又はＣで示される役に係る図柄組み合わせを有効ライン86上に優先的に引き込んで停止させる停止制御処理が行われ、記号Ｂ又はＣで示される役は、いずれも停止操作タイミングとして約２分の１の割合で引き込むことができるように設定されてあり、入賞させることができた場合、１枚のメダル払出が行われ、停止させることができない場合には、入賞させることができず、いわゆる取りこぼしとなる。
【０１７１】
また、第１停止操作が不正解の場合、記号Ｄで示される役に係る図柄組み合わせを有効ライン86上に優先的に引き込んで停止させる停止制御処理が行われ、停止操作タイミングとして約４分の１の割合で引き込むことができるように設定されてあり、入賞させることができた場合には、１枚のメダル払出が行われ、停止させることができない場合（停止操作タイミングとして約４分の３の割合で引き込むことができない場合）には、入賞させることができず、いわゆる取りこぼしとなる。
【０１７２】
上述したように、ＲＢＢ５内部中又はＲＢＢ６内部中の遊技状態では、当選役グループ（ＡＴＬＣ１〜ＡＴＲＣ２の１２種類）のいずれかが当選している場合、ストップスイッチの停止操作態様（具体的には、停止操作順序や、停止操作タイミング）によって、遊技者にとって付与される利益が有利な役である１５枚役が入賞、遊技者にとって付与される利益が１５枚役よりも不利な役である１枚役が入賞、いずれの役も入賞しない、のいずれかとなる。
【０１７３】
なお、本実施の形態では、上述したような停止制御を行うことができるような停止テーブルを複数有し、それらを適宜選択することにより実行するようにしているが、停止制御の手法は、上述したような条件で上述したような停止制御を実行することができるのであれば、特に停止テーブルを用いたものに限定するものではない。具体的には、例えば、引き込む図柄を上述した条件に沿って組み込まれたプログラムにより図柄毎に判断するような判断停止制御により実行するようにしてもよい。
【０１７４】
図１７は、ＲＢＢ５内部中、ＲＢＢ６内部中における当選役グループと、停止操作順序（例えば、ＬＣＲとは、停止操作順序が左リール64（Ｌ）、中リール66（Ｃ）、右リール68（Ｒ）の順序であることを意味する）のときに揃う役の内容等を示しているものである。
例えば、当選役グループがＡＴベル役のＡＴＬＣ１のとき、停止操作順序がＬＣＲのとき、正解の停止操作順序であり、ＰＺ１（ベルの図柄）の組み合わせが揃い、その他の停止操作順序は、不正解の停止操作順序であり、払出枚数（配当）が「１枚」の図柄が揃い、又は、いずれの役の図柄61も揃わずに、いわゆる取り「こぼし」となってしまうことを示している。
【０１７５】
すなわち、ＡＴＬＣ１〜ＡＴＲＣ２において、「１枚又はこぼし」の欄の押し順が不正解の押し順となり、ベル役であるＰＺ１、ＰＺ２、ＰＺ４、ＰＺ３、ＰＺ５、ＰＺ６の欄の押し順が正解の押し順となる。なお、「１枚又はこぼし」とは、払出枚数１枚の１枚役の入賞又はいずれの役も入賞しない取りこぼしとなることを意味する。
【０１７６】
図１９に示すフローチャートに基づいて、メイン制御手段200がＡＴ状態において１回の遊技毎に実行する一般的な制御処理について説明する。
【０１７７】
ステップ１３１において、スタートスイッチ40の操作があったか否かの判定が行われる。ここで、スタートスイッチ40の操作があったと判定されると、メイン制御手段200により、賭け数の設定が不可能な状態とされる。その後、次のステップ１３２に進む。一方、スタートスイッチ40の操作がないと判定されると、再度ステップ１３１に戻る。
【０１７８】
なお、このステップ１３１の前提として、賭け数設定処理が行われている。この賭け数設定処理では、賭け数として規定の賭け数が設定されたか否かが判定されるものである。具体的には、メイン制御手段200により、当該遊技の賭け数として設定されているメダルの枚数が規定の賭け数に達しているか否かの判定が行われる。
【０１７９】
ステップ１３２において、役抽選手段120により、役抽選処理が行われる。この役抽選処理により、当選した役等を特定するための当選番号が決定される。それに伴って、リール62の停止処理に用いる停止テーブルが選択される。また、このとき、役抽選の結果がメイン制御手段200からサブ制御手段400へ送信される。
なお、役抽選の結果に基づいて有利区間への移行抽選や、第２通常状態からＡＴ状態への移行抽選を行っている。
また、特別状態抽選手段267により、ＡＴ状態の毎回の遊技中、１／１６３８４の抽選確率で特別状態へ移行するか否かの特別状態移行抽選処理が行われる。そして、次のステップ１３３に進む。この特別状態移行抽選処理は、ＡＴ状態のときにのみ有効となる。従って、後述するステップ１３９以降の処理は、ＡＴ状態のときだけ有効となるものである。
なお、本実施の形態では、上述したようにステップ１３２において、シナリオ管理型のＡＴ状態の毎回の遊技で特別状態移行抽選処理が行っているが、特にこれに限定されるものではない。例えば、役抽選処理の結果、当選確率が他の役と比べて比較的低い所定の役に当選した場合に特別状態移行抽選処理を行うようにしてもよい。
【０１８０】
ステップ１３３において、リール制御手段130により、リールユニット60におけるリール62の回転起動処理（回転開始処理）が行われる。リール62が所定の回転速度に達した後、いわゆる定常回転になった後、ストップスイッチ50の停止操作が可能な状態となる。そして、次のステップ１３４に進む。
【０１８１】
ステップ１３４において、遊技者によりストップスイッチ50の停止操作が行われる。そして、次のステップ１３５に進む。
ステップ１３５において、リール制御手段130により、リール62の回転停止処理が行われる。具体的には、役抽選の結果と、ストップスイッチ50の操作タイミングとによって、停止位置が決定され、決定した停止位置で当該リール62の回転停止が行われるものである。そして、次のステップ１３６に進む。
【０１８２】
ステップ１３６において、全てのリール62が回転を停止したか否かが判定される。そして、全てのリール62が回転を停止したと判定された場合、次のステップ１３７に進み、全てのリール62が回転を停止していない、すなわち回転中のリール62が残っていると判定された場合、ステップ１３４に戻る。
【０１８３】
ステップ１３７において、所定の有効ライン86上に当選している図柄の組み合わせを揃えて停止表示させて入賞させることができたか否の判定処理が行われる。そして、次のステップ１３８に進む。
【０１８４】
ステップ１３８において、メダルの払出処理が行われる。具体的には、払出制御手段240により、当選役に係る図柄が有効ライン86上に停止して入賞することができた場合には、その当選役に対応する枚数のメダルの払い出しが行われる。なお、メダルの払い出しが不要な場合には、メダルの払い出しは行われない。そして、次のステップ１３９に進む。
【０１８５】
ステップ１３９において、特別状態抽選手段267によるステップ１３２の特別状態移行抽選処理で特別状態へ移行することに当選したか否かが判定される。当選したと判定された場合、次のステップ１４０に進み、当選していないと判定された場合、当該処理は終了する。
【０１８６】
ステップ１４０において、未消化の単位期間のデータの特殊処理が行われる。
具体的には、未消化の単位期間の継続率データを用いて、ストック抽選が行われるものである。既に説明しているように、当選した回数だけ、特別状態のセット（遊技回数５０回）が強制的に継続され、さらにその消化後に８５％の継続率で特別状態の継続抽選が行われるように形成されている。なお、この特殊処理は，上述した内容に限定されるものではなく、未消化の単位期間の継続率データを用いて遊技者側に有利となるような特典を付与するようなものであれば、他の処理でもよいものであって、後述するように種々の特殊処理に設定してもよいものである。
そして、特別状態への移行処理が行われる。そして、当該処理は終了する。
【０１８７】
図２０に示すフローチャートに基づいて、シナリオ管理型のＡＴ状態においてセット開始時の遊技の制御処理について説明する。
先ず、ステップ１４１において、ＡＴ状態のセット開始遊技か否かが判定される。そして、セット開始の遊技であると判定された場合、次のステップ１４２に進み、セット開始の遊技でないと判定された場合、当該処理は終了する。
ステップ１４２において、継続抽選手段265により、当該セット終了後の次のセットに継続するか否かを図１８（Ａ）の継続率データを用いた継続抽選処理が行われる。そして、次のステップ１４３に進む。
【０１８８】
ステップ１４３において、上記継続抽選処理の結果、次のセットを継続することに決定されたか否かが判定される。次のセットも継続することに決定されたと判定された場合、次のステップ１４４に進み、次のセットは継続することに決定されていない、すなわち、継続しないと決定された場合には、当該処理は終了する。
【０１８９】
ステップ１４４において、所定セットにおける特別状態抽選手段267により、次セット継続時の特別状態への移行抽選処理が行われる。ここで、「所定セット」とは、２〜５セット（２〜５戦目のセット）に設定されている。すなわち、２〜５セットにおいて、予め定めた所定の抽選確率を用いて、特別状態への移行抽選処理が行われるものである。具体的には、既に説明しているように、２セット目は、０．１％、３セット目は、１％、４セット目は、０．１％、５セット目は２％の抽選確率で移行抽選処理が行われるものである。なお、７セット目については１００％の抽選確率で移行することとなる。
もちろん、上述したようなセットや抽選確率に限定されるものではなく、他のセットや抽選確率に設定することもできるものである。すなわち、全てのセットにおいて、同じ抽選確率により、特別状態への移行抽選処理を行うように設定してもよい。
本実施の形態では、当該抽選に当選した場合は、次のセットから特別状態へ移行するように設定されているが、特にこれに限定されるものではなく、次の遊技から特別状態へ移行するように設定してもよい。
【０１９０】
ステップ１４５において、特別状態への移行が決定されたか否かが判定される。そして、特別状態への移行が決定されていると判定された場合、次のステップ１４６に進み、特別状態への移行が決定されていないと判定された場合、当該処理は終了する。
ステップ１４６において、当該シナリオ管理型のＡＴ状態において、図１８（Ａ）に示す継続率データに基づいて、未消化の単位期間の継続率データを用いた特殊処理が行われる。ステップ１４０の箇所で既に説明したように、具体的には、未消化の単位期間の継続率データを用いて、ストック抽選が行われるものである。当選した回数だけ、特別状態のセット（遊技回数５０回）が強制的に継続され、さらにその消化後に８５％の継続率で特別状態の継続抽選が行われるように形成されている。なお、この特殊処理は，上述した内容に限定されるものではなく、未消化の単位期間の継続率データを用いて遊技者側に有利となるような特典を付与するようなものであれば、他の処理でもよいものであって、後述するように種々の特殊処理に設定してもよいものである。なお、７セット継続時にはこの処理で特典が付与されることはなく、特別状態に移行すると必ず付与される５０ゲームだけが付与される。特殊処理により特典が付与されるときは、これに加えて特典が付与されるものである。
【０１９１】
そして、次のステップ１４７に進む。
ステップ１４７において、当該セット終了後の特別状態への移行設定処理が行われる。すなわち、当該セットが終了した後に特別状態へ移行するための設定が行われるものである。そして、当該処理は終了する。
【０１９２】
上述したような構成を有することで、本実施の形態に係る発明は、下記に示すような作用及び効果を奏する。
本実施の形態によれば、上限の単位期間、具体的には、図１８（Ａ）に示す７セット目（７戦目）に到達する途中であっても、特別条件としての特別状態抽選手段267による特別状態への移行当選が成立すると、本来、上限の単位期間を実行した後にしか得ることのできない特別状態を楽しむことができるため、遊技者に意外性を与えるとともに、特別状態の継続処理を特別データ（図１８（Ｂ））を用いて行う遊技性を楽しむ機会を提供できるので、一層の興趣向上を図ることができる。さらに、未消化となったセットに対する継続抽選で用いる継続率のデータに基づき遊技者に有利な権利に関する特殊処理を行うので、未消化となったセットに対する遊技者の不満を軽減でき、興趣低下を防止することができる。
【０１９３】
本実施の形態によれば、終了した抽選データのうち未消化の単位期間に応じた継続率毎に特殊抽選を行い、当該特殊抽選で当選したときに遊技者に権利を付与している。すなわち、未消化となったセットに対する継続率のデータを用いて特殊抽選を行うことにより、未消化となったセットに対する遊技者の不満を軽減でき、興趣低下を防止することができる。
【０１９４】
（第２の実施の形態）
上述した第１の実施の形態では、特殊処理は、終了した抽選データのうち未消化の単位期間に応じた継続率毎に特殊抽選を行い、当該特殊抽選で当選したときに遊技者に特別状態を実行できる権利を付与していたが、本実施の形態では、特殊処理として、終了した抽選データのうち未消化の単位期間に応じた継続抽選の継続率を加算して求められる加算データに基づき特殊抽選を行い、当該特殊抽選で当選した場合に遊技者に特典を付与している。
【０１９５】
具体的には、例えば、抽選データＤを用いて、３戦目（３セット目）で、特別状態抽選手段267の特別状態への移行抽選に当選したとする。その場合、次のセットから図１８（Ｂ）に示す特別データを用いて行う特別状態へ移行するが、その時点で未消化となった単位期間の継続率データである４戦目〜７戦目の継続率データである１０％、８０％、１０％、８０％の継続率を加算して、１８０％という加算データが算出される。この加算データに１００％が何個含まれるかにより、当該個数が特別状態のストック数（この場合１個）となり、１００％の個数に含まれなかった加算データの残りのデータ（この場合、８０％）を継続率のデータとして継続抽選が行われる。そして、さらに、最後に特別状態の継続率である８５％を用いて特別状態を継続するか否かが決定されるようなものである。すなわち、１８０％の場合は、特別状態を１セット、強制実施した後、加算データの残りの８０％で特別状態を継続させるか否かの抽選が行われ、さらに、最後に、特別状態の継続率である８５％の抽選確率で再度、特別状態の継続抽選が行われるようなものが含まれるものである。
【０１９６】
また、例えば、抽選データＥの場合は、３戦目で特別状態への移行抽選に当選した場合、特殊処理では、終了した抽選データＥのうちの未消化の単位期間に応じた継続抽選の継続率５０％、５０％、５０％、５０％の合計２００％に基づき、１００％が２個含まれることで、特別状態を２セット強制的に継続した後、８５％の継続率で、さらに特別状態を継続するか否かが継続抽選手段265により抽選されるようなものが含まれる。
【０１９７】
上述した例では、未消化の単位遊技の継続率の加算データに１００％がＸ個含まれていることにより、特別状態の１セットの遊技を強制的にＸセット実施することができるようにされている。すなわち、加算データ＝１００％×Ｘ個＋Ｙ％となって、特別状態の遊技を当該Ｘセット実施した後にＹ％の継続率で、特別状態をさらに継続させるか否かの継続抽選が行われる。そして、最後にさらに８５％の抽選確率で特別状態を継続させるか否かの継続抽選を行っている。なお、特に加算データに１００％が何個含まれているかに限定されるものではなく、例えば９０％や、８０％の数値が何個（Ｘ個）含まれているかによって、継続率９０％や、継続率８０％の抽選確率でＸ回、継続抽選を行い、さらに、Ｙ％の抽選確率で継続抽選を行うようなものが含まれる。
【０１９８】
本実施の形態によれば、未消化の単位期間に応じた継続抽選の継続率をそのまま抽選の当選確率として用いるのではなく、当該継続率を加算して求められる加算データに基づき特殊抽選を行い、この特殊抽選で当選した場合に遊技者に特典を付与する。
未消化のセットが複数ある場合に、上述したように全てのセットの継続率を加算した加算データに基づいて、抽選を行うことにより、抽選テーブル（シナリオテーブル）の途中の継続抽選とは異なる抽選方式により遊技者に更なる面白味を与えることができる。
また、継続率を加算することで当選する抽選確率が増加し、加算せずに抽選処理する場合よりも遊技者側に有利なものにすることができる。
また、残りのセット数によらず共通する処理で判定できるため、過度の処理に要する処理負荷の増加を防止することができる。
【０１９９】
（第３の実施の形態）
本実施の形態に係る遊技機10は、上述した第１、第２の実施の形態における特殊処理の具体的内容が異なるものである。本実施の形態に係る特殊処理では、終了した抽選データのうち未消化の単位期間に応じた継続抽選の継続率を用いて演算して求められる数値を、有利遊技状態において実行可能な遊技回数に設定することを特徴とするものである。
【０２００】
また、本実施の形態に係る遊技機10は、さらに、終了した抽選データのうち未消化の単位期間に応じた継続抽選の継続率を加算して求められる加算データに所定係数（具体的には％表示にするための数値１００）を乗算した数値を、有利遊技状態としての特別状態において実行可能な遊技回数に設定することを特徴とする。
なお、その他の構成や作用効果等は、第１の実施の形態で説明したものと同様であって、それらの説明を省略する。
【０２０１】
具体的には、本実施の形態に係る特出処理には、下記に示すようなものが含まれる。
例えば、抽選データＤを用いて、３戦目（３セット目）で、特別状態抽選手段267による特別状態への移行抽選に当選したとする。その場合、次のセットから図１８（Ｂ）に示す特別データを用いて行う特別状態へ移行するが、その時点で未消化となった単位期間の継続率のデータである４戦目〜７戦目の継続率データである１０％、８０％、１０％、８０％の継続率を演算（具体的には加算）して、１８０％という加算データが算出される。この加算データに所定係数、具体的には、抽選確率を％表示にするための数値１００を乗算した数値（（１８０／１００）×１００）である、１８０回という数値を、特別状態において実行可能な遊技回数に設定するものである。
【０２０２】
本実施の形態によれば、例えば継続率８０％を遊技回数８０回のように、継続抽選の継続率を用いて演算して求められる数値を有利遊技状態としての特別状態において実行可能な遊技回数に設定している。
継続抽選の継続率が遊技回数という別次元の単位に変換されることで、例えば当選確率が１％増加すると、遊技回数が確実に１回増えるようなことが発生し、興趣に富むものにすることができる。  
当選確率の場合は、仮に当選確率が高くても抽選で当選しなければ遊技者に何の利益をもたらすことはなく、当選しなければ何の意味もないが、遊技回数に変換されることで、当選確率が高ければ、遊技回数を確実に増やすことができ、抽選処理を経ることなく、確実に遊技者に利益をもたらすことができる。
【０２０３】
さらに、本実施の形態によれば、未消化の単位期間に応じた継続抽選の継続率を加算して求められる加算データに所定係数（具体的には％表示にするための数値１００）を乗算した数値を、有利遊技状態において実行可能な遊技回数に設定している。これにより、未消化の単位期間に応じた継続抽選の継続率と、有利遊技状態において実行可能な遊技回数とを比例関係にすることができる。
すなわち、継続率を加算して求められる加算データが２倍になれば、有利遊技状態において実行可能な遊技回数も２倍にすることができ、未消化の単位期間ごとに設定されている継続率を有効に利用することができ、未消化のセットに対する遊技者の不満を軽減することができ、興趣低下を防止することができる。
【符号の説明】
【０２０４】
10  遊技機                              12  筐体
14  前扉                                16  図柄表示窓部
17  メダルセレクタ                      18  外部集中端子板
19  扉開閉用スイッチ                    20  上パネル
22  下パネル                            24  ホッパーユニット
26  メダル受け皿                        28  メダル払出口
30  操作部                              32  ベットスイッチ
34  マックスベットスイッチ              35  １ベットスイッチ
36  精算スイッチ                        38  メダル投入口
40  スタートスイッチ                    42  チャンスボタン
43  電源ユニット                        44  電源スイッチ
45  設定キースイッチ                    46  設定変更スイッチ
50  ストップスイッチ                    Ｌ  左ストップスイッチ
Ｃ  中ストップスイッチ                  Ｒ  右ストップスイッチ
60  リールユニット                      61  図柄
62  リール                              63  リール位置センサ
64  左リール                            65  ステッピングモータ
66  中リール                            67  バックランプ
68  右リール                            70  演出装置
72  スピーカー                          74  上部スピーカー
76  下部スピーカー                      78  演出用ランプ
80  上部ランプ                          82  下部ランプ
84  表示装置                            86  有効ライン
87  クレジット表示器                    88  払出枚数表示器
89  設定表示器                          90  区間報知ランプ
92  投入センサ
94  払出センサ                          95  ホッパーモータ
96  オーバーフローセンサ
100  制御装置
200  メイン制御手段                    210  役抽選手段
220  リール制御手段                    230  停止図柄判定手段
240  払出制御手段                      250  遊技状態制御手段
251  ノーマル状態制御手段              252  ボーナス内部中状態制御手段
253  ボーナス状態制御手段
260  演出状態制御手段                  261  通常状態制御手段
262  ＡＴ状態制御手段
264  抽選データ決定手段                265  継続抽選手段
266  特別状態制御手段                  267  特別状態抽選手段
270  ＡＴ移行ゲーム数抽選手段          280  計数手段
281  有利区間経過ゲーム数カウンタ      282  ＡＴ移行ゲーム数カウンタ
283  バトルゲーム数カウンタ            290  遊技履歴監視手段
390  送信手段
400  サブ制御手段                      410  受信手段
420  報知手段
【図１】
2020081538.tif 000003
【図２】
2020081538.tif 000004
【図３】
2020081538.tif 000005
【図４】
2020081538.tif 000006
【図５】
2020081538.tif 000007
【図６】
2020081538.tif 000008
【図７】
2020081538.tif 000009
【図８】
2020081538.tif 000010
【図９】
2020081538.tif 000011
【図１０】
2020081538.tif 000012
【図１１】
2020081538.tif 000013
【図１２】
2020081538.tif 000014
【図１３】
2020081538.tif 000015
【図１４】
2020081538.tif 000016
【図１５】
2020081538.tif 000017
【図１６】
2020081538.tif 000018
【図１７】
2020081538.tif 000019
【図１８】
2020081538.tif 000020
【図１９】
2020081538.tif 000021
【図２０】
2020081538.tif 000022